(57)【要約】  スキーブーツと、スキーブーツに取り付けられる、スキーのスイートスポットに圧力を集中させるようなユーザのトレーニングに適したトレーニングエイド（１１０）との組み合わせであって、トレーニングエイド（１１０）は、スキーブーツの下の、トレーニングエイドがスキーブーツに取り付けられた場合にスキーのスイートスポットに垂直に位置合わせされる位置に位置決めされたバランス部材（１２２）を備え、トレーニングエイド（１１０）により、ユーザは、スキーなしで、且つ各ブーツにトレーニングエイドが取り付けられた状態で一足のスキーブーツを装着して、所望のバランス位置に達するまでバランス部材（１２２）を中央に旋回することができ、それにより、圧力が上記スイートスポットに対応するスポットに集中される。【選択図】図３８
2013506513.tif 000002
【特許請求の範囲】
【請求項１】
スキーブーツと、前記スキーブーツに取り付けられる、スキーのスイートスポットに圧力を集中させるようなユーザのトレーニングに適したトレーニングエイドとの組み合わせであって、前記トレーニングエイドは、前記スキーブーツの下の、前記トレーニングエイドが前記スキーブーツに取り付けられた場合にスキーのスイートスポットに垂直に位置合わせされる位置に位置決めされたバランス部材を備え、前記トレーニングエイドにより、ユーザは、スキーなしで、且つ各ブーツに前記トレーニングエイドが取り付けられた状態で一足の前記スキーブーツを装着して、所望のバランス位置に達するまでバランス部材を中央に旋回することができ、それにより、圧力が前記スイートスポットに対応するスポットに集中される、組み合わせ。
【請求項２】
前記スイートスポットは、前記ユーザの土踏まずの下に配置される、請求項１に記載の組み合わせ。
【請求項３】
前記スキーブーツは、前記スイートスポットを通る垂直面に位置合わせされた少なくとも１つのインジケータを備える、請求項１又は２に記載の組み合わせ。
【請求項４】
前記トレーニングエイドは、前記トレーニングエイドを前記スキーブーツに着脱可能に取り付けるスキーブーツ係合手段を備える、請求項１〜３のいずれか一項に記載の組み合わせ。
【請求項５】
前記スキーブーツ係合手段は、前記スキーブーツの靴底への着脱可能な挿入を可能にするねじ山又は他の着脱可能な挿入手段を含む、請求項４に記載の組み合わせ。
【請求項６】
前記スキーブーツ係合手段は、前記スキーブーツ内に実質的に挿入されない、請求項４に記載の組み合わせ。
【請求項７】
前記スキーブーツ係合手段は、前記スキーブーツの前記靴底に接触するような形状の土台と、前記土台を前記スキーブーツに着脱可能に取り付ける前記土台の着脱可能な取り付け手段とを備え、前記バランス部材は前記土台の下に配置される、請求項４又は６に記載の組み合わせ。
【請求項８】
前記バランス部材は前記土台の下に配置される、請求項７に記載の組み合わせ。
【請求項９】
前記土台の前記着脱可能な取り付け手段は、１つ又は複数の着脱可能な紐、ストラップ、クリップ、クランプ、キャッチ、グリップ、又はロックを含む、請求項７又は８に記載の組み合わせ。
【請求項１０】
前記バランス部材を前記土台に着脱可能に取り付ける前記バランス部材の前記着脱可能な取り付け手段が設けられる、請求項７〜９のいずれか一項に記載の組み合わせ。
【請求項１１】
前記バランス部材の前記着脱可能な取り付け手段は、１つ又は複数のねじ、クリップ、クランプ、キャッチ、グリップ、又はロックを含む、請求項１０に記載の組み合わせ。
【請求項１２】
前記トレーニングエイドは、前記スキーブーツの長さの２倍よりも短い、請求項１〜１１のいずれか一項に記載の組み合わせ。
【請求項１３】
前記トレーニングエイドは前記スキーブーツよりも短い、請求項１２に記載の組み合わせ。
【請求項１４】
前記トレーニングエイドは、前記スキーブーツを前後方向に旋回できるようにする、請求項１〜１３のいずれか一項に記載の組み合わせ。
【請求項１５】
前記トレーニングエイドは、前記スキーブーツの左右の旋回を可能にする、請求項１〜１４のいずれか一項に記載の組み合わせ。
【請求項１６】
一対のスキーブーツを備え、各ブーツは、取り付けられたトレーニングエイドを有する、請求項１〜１５のいずれか一項に記載の組み合わせ。
【請求項１７】
左のブーツの前記トレーニングエイドは、右のブーツの前記トレーニングエイドと異なる形状である、請求項１６に記載の組み合わせ。
【請求項１８】
前記左のブーツの前記トレーニングエイドは、前記右のブーツの前記トレーニングエイドの実質的に鏡像である、請求項１７に記載の組み合わせ。
【請求項１９】
請求項１６〜１８のいずれか一項に記載の組み合わせを装着すること、及び前記バランス部材上でバランスをとるか、又はとろうとすることを含む、スキーのトレーニング方法。
【請求項２０】
１つ又は複数のトレーニングエイドを、上記バランスをとることを多少なりとも難しくするトレーニングエイドと交換することをさらに含む、請求項１９に記載の方法。
【請求項２１】
請求項１〜１８のいずれか一項に記載の組み合わせへの使用に適したトレーニングエイド。
【請求項２２】
前記スキーブーツへの挿入により、前記スキーブーツへの着脱可能な取り付けが可能である、請求項２１に記載のトレーニングエイド。
【請求項２３】
前記スキーブーツへの着脱可能な挿入なしで、前記スキーブーツへの着脱可能な取り付けが可能である、請求項２１に記載のトレーニングエイド。
【請求項２４】
前記バランス部材は土台に着脱可能に取り付け可能であり、前記土台は前記スキーブーツに着脱可能に取り付け可能である、請求項２１又は２３に記載のトレーニングエイド。
【請求項２５】
スキーブーツを取得すること、及び請求項２１〜２４のいずれか一項に記載のトレーニングエイドを前記スキーブーツに着脱可能に取り付けて、請求項１〜１５のいずれか一項に記載の組み合わせを提供することを含む方法。
【請求項２６】
一対のスキーブーツを取得すること、及び請求項２１〜２４のいずれか一項に記載のトレーニングエイドを各スキーブーツに着脱可能に取り付けて、請求項１６〜１８のいすれか一項に記載の組み合わせを提供することを含む方法。
【請求項２７】
前記トレーニングエイドを取り付ける前にスキーブーツを必ずしも変更する必要はない、請求項２４又は２５に記載の方法。
【請求項２８】
請求項１〜２７のいずれか一項に記載のスキートレーニングエイド又はバランス部材を備えたキットであって、前記キットは、以下：
ａ）トレーニングエイドをスキーブーツに取り付ける際及び／又はトレーニングエイドを前記スキーブーツから取り外す際に使用するための説明書、
ｂ）バランス部材をトレーニングエイドの土台に取り付ける際及び／又はバランス部材を前記土台から取り外す際に使用するための説明書、
ｃ）各ブーツに取り付けられたトレーニングエイドを有する一対のスキーブーツを装着した場合のトレーニングのための説明書、
ｄ）トレーニングエイドをスキーブーツに取り付ける際及び／又はトレーニングエイドを前記スキーブーツから取り外す際に使用するための工具、
ｅ）バランス部材をトレーニングエイドの土台に取り付ける際及び／又はバランス部材を前記土台から取り外す際に使用するための工具、
ｆ）床プロテクタ、
ｇ）上記ａ）〜ｆ）のうちの１つ又は複数の容器
のうちの１つ又は複数をさらに備える、キット。
【請求項２９】
前記部分ｄ）及び／又はｅ）はキー又はねじドライバーである、請求項２８に記載のキット。
【請求項３０】
前記キーはアレンキーである、請求項２９に記載のキット。
【請求項３１】
請求項１〜３０のいずれか一項に記載のトレーニングエイド又はバランス部材を複数含むキット。
【請求項３２】
一対のトレーニングエイド、一対のバランス部材、又はそのような複数の対を含む、請求項３１に記載のキット。
【請求項３３】
いくつかの異なる種類及び／又は形状のバランス部材を含む、請求項３１又は３２に記載のキット。
【請求項３４】
バランスがとれた位置を得る際に異なる程度の難しさを提供するバランス部材を含む、請求項３１〜３３のいずれか一項に記載のキット。
【請求項３５】
異なる難しさの程度は、使用中に、異なる地面接触表面積を有するバランス部材を供給することにより提供される、請求項３４に記載のキット。
【請求項３６】
前記難しさの程度は等級付けられる、請求項３４又は３５に記載のキット。
【請求項３７】
バランス部材には、異なる難しさの程度を示すインジケータが設けられる、請求項３４〜３６のいずれか一項に記載のキット。
【請求項３８】
前記インジケータは、以下のカテゴリ：
ａ）まだスキーをしたことがない人、
ｂ）低レベルのスキーヤー、
ｃ）中級レベルのスキーヤー、
ｄ）上級レベルのスキーヤー、
ｅ）スキーインストラクター、
ｆ）プロフェッショナル又はエキスパートのスキーヤー
のうちの１つ又は複数のためのものである、請求項３７に記載のキット。
【請求項３９】
実質的に添付図面及び／又は例を参照して上述されるような発明。
【発明の詳細な説明】
【技術分野】
【０００１】
本発明は、スキートレーニングに関し、特に、スキースロープにいる必要なく、スキーのバランスをとる練習をするに当たって有用なトレーニングエイドに関する。
【背景技術】
【０００２】
スキーは、良好な雪条件を有する多くの国々で実施されている気分を浮き立たせるスポーツである。しかし、スキーは高価であり得る。スキーレッスンも高価であり得る。
【０００３】
さらなる問題は、世間に認められたスキーリゾートであっても、天候状況がスキーに適さないことが多いことである。通常、大半のリゾートがスキーに開かれているのは、冬の間の数ヶ月のみである。その間であっても、悪天候状況により、頻繁な中断があり得る。例えば、積雪が不十分であったり、積雪が過度であったり、風が過度である状況であったり、雪崩の危険があったり等であり得る。
【０００４】
多くのスキーヤーが、スキー休暇で海外に旅行する必要があり、そのため、スキースロープで実際に利用できる時間が殆どないことが多いことを理解することも重要である。したがって、スキー前にテクニックの向上を助けることができる何かが、スキーヤーがスキースロープで利用できる限られた時間を最大限に使い、スキーを楽しむと共に、さらに上達することの保証に有用であり得る。
【０００５】
当然、屋内ドライスキー場で練習することが周知である。人工雪を提供する屋内場もある。しかし、ドライスキー場及び人工雪場は両方とも、非常に混雑する可能性があり、高価であることが多い。さらに、テクニックを練習しようとしているより熟練したスキーヤーの邪魔になり得る高い割合の初心者／非常に経験の少ないスキーヤーを引きつける傾向がある。いずれの場合でも、通常、多くの国々ではそのような場は多くない。
【０００６】
スキーテクニックを向上させようとするために、家庭、ホテル、又はジムで使用できる多数のトレーニングエイドが開発されている。これらは一般に、静止した土台と、スキー又はスキーの様々な側面を模倣するように設計された、土台に移動可能に取り付けられた１つ若しくは複数の可動構成要素とを有する装置の形態である。
【０００７】
スキーに使用される筋肉を整える／強化することを主な目的としたいくつかのトレーニングエイドも提供される。
【０００８】
これより、様々な既知の装置について、本手法を示すために、例として考察することにする。
【０００９】
（特許文献１）には、平行ターンの実行方法についてユーザをトレーニングするように設計される装置が開示されるが、この装置は嵩張る。この装置は、ユーザの足が配置され、土台に平行の状態を保ちながら、固定された水平土台に相対する弧を通して移動することができる小さな一対のスキーとしての形を有するプラットフォームを含む。土台に固定され、スキーのポールを模倣するように設計された側部支持も設けられる。端部ストップ及びリターン（例えば、牽引戻りバネ）も設けられる。これらはそれぞれ機能して、事前に設定された最大を超えてのターンを回避すると共に、ユーザを、トレーニングを続けることができる位置に戻す。
【００１０】
（特許文献２）には、もう１つの嵩張るスキートレーニング装置が開示されている。ここでは、２つの模擬スキーの前端部が、バックトラックを超えて後方に延びる組立体に旋回可能に取り付けられる。シミュレータは、調整可能な傾斜プラットフォームを含み、プラットフォーム上で、スキーは、ウェッジとへ移行位置との間で調整可能なように移動する。外側に向けて傾斜したスタンドバーも提供され、スキーのターンに関わる力を模倣する引張り力を提供すると言える。
【００１１】
（特許文献３）には、スキーに使用される筋肉を整える練習装置が開示される。プラットフォームが各足に提供される。プラットフォームは、スキーに係合するために使用できるブーツ係合クランプを含む。ストラップを設けることもできる。プラットフォームの下に、丸い底部を有するボートの船体を模した湾曲本体部がある。これは、ボルト又はリベットによりプラットフォームに取り付けられ、スキーブーツの下に置かれる。
【００１２】
（特許文献４）には、別のスキートレーニング装置が開示されている。この装置は、回転プラットフォームと、弾性ケーブルを介してプラットフォームに取り付けられた頑丈なベルトとを有するものとして説明されている。地面に取り付けられ、安定性を提供する平坦な土台が示される。半輪が設けられて、揺動移動できるようにする。この装置の利点は、スキーブーツを装着する必要がないこと、又は他の専用のスキー機器を使用する必要がないことであると言える。
【００１３】
（特許文献５）には、別の複雑なスキートレーニング装置が開示されている。これは、土台と、土台にヒンジで取り付けられた傾斜板とを含む。一対の模擬スキーが傾斜板の上に設けられ、模擬スキーがフリーベアリング上に取り付けられる。揺動移動を提供可能にするのを助けるバネが、傾斜板の前端部に設けられる。傾斜調整手段も、回転を制限するストッパーとして設けられる。この装置は、スキーブーツが上記傾斜板に取り付けられた模擬スキーに取り付けられた状態で示される。
【００１４】
（特許文献６）には、平行スキーの練習に有用なスキートレーニング装置が開示されている。回転部材に取り付けられた２つの傾斜可能なフットプラットフォームが設けられ、回転部材は土台プラットフォームに回転可能に取り付けられる。鍵となる利点は、特別な足装着物が必要なく、そのため、ユーザが、例えば、ストリートシューズ又はテニスシューズを装着可能なことであると言える。土台の前部が上昇した状態で、ユーザの足首は、平行スキーに使用される前傾姿勢をとると言える。土台の左右の揺動は、スキーヤーが下り坂スロープ上で方向を変更する際に生じる姿勢の変更を模倣すると言える。
【００１５】
上記要約から、様々なスキートレーニング装置が既知であるが、多くが嵩張り、製造が高価なことが理解されるであろう。一般的に主な特徴は、１つ又は複数の嵩張るプラットフォームが設けられ、プラットフォーム上にユーザが、上記プラットフォームに取り付けられたスキーブーツありで、又はそのようなスキーブーツなしで立つことである。装置の主な違いは、プラットフォームが支持土台に対して配置される方法である。
【００１６】
既存のスキートレーニング装置の大半は、スーツケース又は他の個人旅行荷物ではあまりに大きすぎて容易に運べない。したがって、例えば、スキー休暇をとりたい人々は通常、エイドが、スキー前又はスキーシーズン後にスキーリゾートでのテクニックの練習に有用であり得る場合であっても、そのようなエイドの携帯を考えない。
【００１７】
多くの既存のスキートレーニングエイドのさらなる欠点は、複雑性である。これは、初心者又は中級のスキーヤーであっても、エイドを効率的に使用して、テクニックを向上さえることを難しくし得る。
【００１８】
実際には、多くの場合、トレーニングエイドは、実際の使用が疑わしく、スキーテクニックの低下に繋がる可能性さえある。
【００１９】
さらに、本発明者が認識する既存のスキートレーニングエイドは、ユーザがスキーのスイートスポットに圧力を集中させることの訓練に特に適合されている。
【先行技術文献】
【特許文献】
【００２０】
【特許文献１】国際公開第９６／０６６６０号パンフレット
【特許文献２】米国特許第５４９６２３９号明細書
【特許文献３】米国特許第４２５１０６８号明細書
【特許文献４】欧州特許第０３３８２９５号明細書
【特許文献５】日本国特許第２００１−１５７７２６号明細書
【特許文献６】米国特許第２００３／００６０３３８号明細書
【発明の概要】
【発明が解決しようとする課題】
【００２１】
したがって、改良されたスキートレーニングエイド、特に、上記スイートスポットへの圧力集中へのユーザトレーニングに適合されたスキートレーニングエイドを提供する必要がある。より可搬性の高いスキートレーニングエイドを提供する必要もある。さらに、従来のスキートレーニング装置よりも製造が安価なスキートレーニングエイドを提供する必要もある。
【００２２】
本発明は、上記必要性のうちの１つ又は複数に対応するか、又は少なくとも解消することを目的とする。
【課題を解決するための手段】
【００２３】
本発明によれば、スキーブーツと、スキーブーツに取り付けられる、スキーのスイートスポットに圧力を集中させるようなユーザのトレーニングに適したトレーニングエイドとの組み合わせが提供され、トレーニングエイドは、スキーブーツの下の、トレーニングエイドがスキーブーツに取り付けられた場合にスキーのスイートスポットに垂直に位置合わせされる位置に位置決めされたバランス部材を備え、トレーニングエイドにより、ユーザは、スキーなしで、且つ各ブーツにトレーニングエイドが取り付けられた状態で一足のスキーブーツを装着して、所望のバランス位置に達するまでバランス部材を中央に旋回することができ、それにより、圧力が上記スイートスポットに対応するスポットに集中される。
【００２４】
所望のバランス位置では、スキーブーツは地面に接触しない。この位置にある場合、各ブーツに取り付けられたトレーニングエイドの地面に接触する部分がバランス部材のみであることも好ましい。
【００２５】
したがって、本発明のトレーニングエイドを使用して、スキーする場合に有用なようにバランスをとり、大きな圧力を一対のスキーのスイートスポットに加えるようにユーザをトレーニングすることができる。したがって、ユーザは、自分の体重をシフトさせて、これを達成するようにトレーニングすることができると共に、後に、スキーする場合、バランス位置の達成に使用される姿勢／テクニックを取り入れることができる。
【００２６】
本発明のトレーニングエイドは、スキーなしで使用するように設計される。これは、特にトレーニングの初期段階において様々な利点を有する。
【００２７】
一利点は、圧力を概念的なスイートスポット（すなわち、スキーが存在する場合のスキーのスイートスポットに対応するスポット）に集中させる正しい姿勢を取り入れるようにユーザがトレーニングすることが可能でありながら、障害の危険性又は障害の危険性の恐れさえも、大幅に低減できることである。
【００２８】
これは、装置のユーザがバランスを失った場合であっても、スキースロープでの危険性よりもはるかに危険性が低いように制御された環境で本発明のトレーニングエイドを使用できるためである。
【００２９】
いくつかの場合では、万が一、ユーザが転倒するか、又は転倒の危険性がある場合、緩衝材を設けることができる。
【００３０】
代替又は追加として、１つ又は複数の支持体を設けることができる。したがって、例えば、ユーザは、最初はハンドレール、スキーポール、他の支持物体により、又は人（例えば、インストラクター、友人、又は身内の者）により支持されながら、バランスをとる練習をすることができる。
【００３１】
しかし、望ましくは、ユーザは、支持体を使用せずにバランスをとろうとする。したがって、実際には、支持体が存在する場合、支持体は単に、バランスが失われた場合に使用し得る。例えば、ユーザは、家庭の椅子、レールソファ、又は壁の近くで本発明のトレーニングエイドを使用して練習し得る。これは、一時的な支持が必要な場合に使用することができ、ユーザが転倒する危険性を回避することができる。一時的な支持は、ユーザが立っている間、且つバランスをとろうとする前にも使用し得る。
【００３２】
しかし、支持体及び／又は緩衝材の提供は必須ではない。
【００３３】
実際には、トレーニングエイドのユーザは通常、スキーを装着した人がスキースロープにいる場合の環境よりもより制御された／安全な環境でトレーニングエイドを使用することになる。多くの初心者は、スキーする際に高度の不安を有し、スキーが望ましくない様式で滑り始めた場合、不安は強まり得る。少なくとも初期トレーニング中に、本発明の装置を使用することにより、スキースロープ上で非制御様式でスキーが滑る危険性なしで、且つスキーの非制御な滑りに起因し得る事故の危険性なしで、テクニックを開発することができる。
【００３４】
先に示したように、バランス位置は、スキー中に大きな圧力をスキーのスイートスポットに加える位置に対応する。したがって、本発明により、ユーザは、安全で制御された環境（例えば、ホテルの部屋、山小屋の部屋、家庭、又はトレーニングセンター）で練習しながら、スイートスポットの「感覚」を育てることができる。
【００３５】
好ましくは、トレーニングエイドは、バランス位置の達成（バランス部材のみが地面に接触する）を可能にしながら、ある程度の左右の旋回／回転を可能にする。これは、例えば、ユーザが、バランス部材のみが地面に接触する所望のバランス位置にありながら、スキーのターンを模倣できるようにする。
【００３６】
トレーニングエイドは、追加又は代替として、例えば、スロープの上り又は下がりのスキーを模倣するために、ある程度の前後の旋回も可能にし得る。
【００３７】
一般に、トレーニングエイドがスキーブーツに着脱可能に取り付けられることが好ましい。これは、様々な方法で達成することができる。
【００３８】
本発明の一実施形態では、これは、トレーニングエイドの部分をスキーブーツ内に物理的に挿入することを含む。これは、例えば、スキーブーツの土台にねじ込まれる突出ねじをスキートレーニングエイドに設けることにより達成し得る（これは、図１〜図２０を参照して例１〜１２において後に例示される）。
【００３９】
近代のスキーブーツは一般に、かなり厚い靴底を有するため、通常、ねじ山が過度に長い場合以外、性能に影響する破損を生じさせずにねじ山に容易に適応することができる。したがって、露出するねじ山の長さは、スキーブーツの靴底が、性能又は快適性を実質的に損なうように破損しないことを保証する安全限度内に保つことができる。例えば、ねじ山が靴底を貫通し、ブーツの内部空間内に突出することは明らかに望ましくない。ねじ山の長さは、このいかなる危険性をも回避するように選択することができる。
【００４０】
他の挿入手段を使用することもできる。ねじに対する代替として、ボルト又は釘でさえも使用し得る。これらはすべて、適切な工具を使用して（例えば、ねじドライバー、プライヤー、レンチ又はスパナ、レバー等を使用することにより）ブーツから取り外すことができる場合、着脱可能と考えることができる。多くの場合、同じ工具を、ブーツへのトレーニングエイドの取り付け及び取り外しに使用することができる。例えば、ねじドライバー又はキー（例えば、アレンキー）を使用し、トレーニングエイドに係合する場合には逆方向に回すことにより、トレーニングエイドをスキーブーツにねじで取り付け、且つ取り外すことができる。
【００４１】
勿論、着脱可能なクランプ、グリップ、紐、固定具、テープ、相互接続オス及びメス部材等を含め、着脱可能な取り付けの多くの他の可能性があり、これらはすべて本発明の範囲内である。一時的な接着剤を使用することさえも可能であるが、これは好ましくない。
【００４２】
トレーニングエイドを着脱可能に取り付ける前に、スキーブーツを物理的に変更することも可能であるが、これは好ましくない。例えば、スキーブーツは、ねじ山に係合するねじ切りされた挿入部をスキーブーツの靴底に含むように提供するように変更し得る。
【００４３】
したがって、スキーブーツは、ねじ山を受けるため、又は他の取り付け手段を受けるためのソケットを所望の位置に有し得る。（これは、対応するソケット内の位置にねじ込まれたスタッドを有するサッカーのスパイクシューズと同様である）。あるいは、スキーブーツは、他の方法で物理的に変更して、トレーニングエイドの着脱可能な取り付けを助け得る。例えば、スキーブーツ自体が、トレーニングエイドに係合するクランプ、キャッチ等を含むように製造し得る。
【００４４】
しかし、好ましくは、いかなる特別な変更も組み込まれない標準のスキーブーツが使用されて、本発明のトレーニングエイドに係合する。したがって、トレーニングエイドが標準のスキーブーツに着脱可能に取り付けられることが好ましい。これは、勿論、追加の費用又は不便さに繋がり得る非標準のスキーブーツを購入する必要性を回避する。
【００４５】
上で示したように、また例１〜例１２に示されるように、スキーブーツへのトレーニングエイドの着脱可能な取り付けは、単にエイドの部分をスキーブーツの靴底に着脱可能に挿入することにより達成することができる。
【００４６】
しかし、スキーブーツに物理的に挿入せず、又は通常の「摩滅」を介して予期し得る程度を越える大きな程度までスキーブーツの構造に影響しない異なるスキーブーツ係合手段が使用されることがより好ましい。
【００４７】
（例えば、本発明のトレーニングエイドをスキーブーツにストラップで取り付け、ストラップを締める、緩める、又は外す場合に発生し得るわずかな傷、擦り傷、又は凹みは許可し得る。これは、わずかな傷、擦り傷、又は凹みが通常、ねじ山をスキーブーツの靴底にねじ込むというより侵襲的な動作とは対照的に、スキーブーツの通常の摩滅の一環であるためである）。
【００４８】
スキーブーツ係合手段は、例えば、スキーブーツの靴底に接触するような形状の土台と、スキーブーツに着脱可能に取り付ける、土台の着脱可能取り付け手段とを備え得、バランス部材は土台の下に配置される。
【００４９】
スキーブーツの靴底に取り付けるために使用される着脱可能な取り付け手段は、例えば、１つ又は複数の着脱可能な紐、ストラップ、クリップ、クランプ、キャッチ、グリップ、ロック等を含み得る。
【００５０】
例１３及び関連付けられた図２１〜図３８は、スキーブーツの靴底への挿入（又は実際には、スキーブーツの一般的な物理的構造を任意の有意な程度まで変更する任意の他の手順）が必要ない本発明のかなり好ましい態様を示す。ここでは、着脱可能なストラップを使用して、トレーニングエイドをスキーブーツに取り付けるが、勿論、他の着脱可能な取り付け手段を使用することもできる。
【００５１】
例１３及び関連付けられた図は、バランス部材が、スキーブーツに接触したトレーニングエイドの土台にどのようにして着脱可能に取り付けられるかも示す。
【００５２】
トレーニングエイドの土台へのバランス部材の着脱可能な取り付けにより、トレーニングプログラムが様々な段階を経て移るにつれて、様々な異なるバランス部材を使用することが可能になる。これは、バランスをとる際の異なる難しさを提供する。
【００５３】
より具体的には、バランス部材の地面に接触する表面積が低減するにつれて（着脱可能な取り付け手段を介してバランス部材を交換することにより）、これにより、ユーザは、スキーを装着した場合に一対のスキーのスイートスポットに圧力を集中させるように、特にバランスをとる際にますます大きな力を集中させることができる。
【００５４】
したがって、様々な異なるバランス部材の提供が、ユーザが異なるレベルのバランストレーニングを通して上達し、スキーのスイートスポットに対応するスポットに圧力を集中させることにますます熟練できるようにすることを目的とするキット内に提供することができる。したがって、ユーザは、スキーに適切な姿勢及びテクニックを取り入れることにますます熟練しますます有能になることができる。
【００５５】
望ましくは、トレーニングエイドが取り外されると、スキーブーツは通常通り使用することができる。したがって、ブーツにトレーニングエイドを着脱可能に取り付けられるようにする任意の適合が、ブーツ内／上に存在する場合（これは好ましくない）、これがスキー中のブーツの通常の使用を妨げないことが望ましい。
【００５６】
いずれの場合でも、先に示したように、本発明の様々な実施形態のいずれも、スキーブーツ（又は他の足装着物）を嵩張るトレーニングプラットフォームに取り付ける必要がない。
【００５７】
望ましくは、トレーニングエイドは、使用中の場合、スキーブーツの長さの２倍未満である。好ましくは、トレーニングエイドは、上記長さの１．５倍未満、１．２５倍未満、又は１．１倍未満である。より好ましくは、トレーニングエイドは、着脱可能に取り付けられるスキーブーツよりも長くなく、又は少なくとも実質的に長くない。したがって、スキーブーツのつま先又は踵を超えて実質的に延在しないことが望ましい。最も好ましくは、トレーニングエイドはスキーブーツの長さよりも短い。
【００５８】
特に、トレーニングエイドがスキーブーツに巻かれる構成要素を備える場合、トレーニングエイドはスキーブーツよりも広い幅を有し得る（ここでも、使用中の場合）。しかし、好ましくは、トレーニングエイドは、スキーブーツの幅の２倍未満、上記幅の１．５倍未満、１．２５倍未満、又は１．１倍未満の幅を有する。
【００５９】
いくつかの実施形態では、トレーニングエイドは、スキーブーツの幅未満の幅を有するか、又は実質的に上記幅未満の幅でさえ有し得る。これは、多くの場合、例えば、トレーニングエイドが単に、スキーブーツの靴底に挿入され、スキーブーツが巻かれないように設計される場合に該当し得る。（例えば、トレーニングエイドがスキーブーツの下側の小さな部分のみを占有して、概念的なスイートスポットに対応する所望の位置で旋回を提供する例１〜例１２を参照のこと）。
【００６０】
したがって、本発明のトレーニングエイドを、多くの既存のトレーニングエイドよりもはるかに小さくすることができ、はるかに高い可搬性を有し得ることが理解されよう。好ましい実施形態では、トレーニングエイドは５０ｃｍ未満の長さである（例えば、４０ｃｍ未満、３０ｃｍ未満、又は２５ｃｍ未満）。望ましくは、トレーニングエイドは３０ｃｍ未満の幅を有する（例えば、２５ｃｍ未満、２０ｃｍ未満、又は１５ｃｍ未満の幅）。勿論、トレーニングエイドは、例１〜例１２に示される実施形態に示されるように、はるかに小さくすることもできる。
【００６１】
トレーニングエイドは、ユーザが、スキー中にスキーのスイートスポットに大きな圧力を加えられるような体重の分配を練習できるようにするトレーニングエイドとして機能を満たす場合、任意の適切な形状であることができる。トレーニングエイドの形状は、この機能に相応しいように広く様々であることができる。
【００６２】
本発明の一態様によるトレーニングエイドの様々な形状を図１〜図２０に示し、例１〜例１２において説明する。
【００６３】
先に考察したように、これは、トレーニングエイドがスキーブーツの靴底内に挿入されるあまり好ましくない態様である。したがって、トレーニングエイドが、例えば、球形又はその部分（例えば、一部）の全般的な形態のバランス部材を備え得、上方に突出したねじの形態の取り付け手段を有し得ることが理解されよう。例えば、バランス部材は、上部及び下部が外されて、一般的に平坦な上面及び下面を露出させた球形の形態であり得、上面の中央から上方に突出するねじを有し得る。バランス部材として球形／球形の部分を使用することへの代替として、円柱形、切頭円錐形構成要素、又は上述のうちの任意の形状を使用し得る。
【００６４】
例１〜例１２では、バランス部材は、トレーニングエイドを取り付ける際にスキーブーツの靴底に当接することができる概して平面の上面を有する。したがって、上面は、トレーニグエイドのスキーブーツの靴底内へのねじ込みが深すぎることを回避するストップとして機能する。概して平面の下面は、平坦な地面に接触し、その上（例えば、床板上、舗装、コンクリート、又はタイルが貼られたエリア上）でバランスをとるために使用することができる。あるいは、下面又は下面の部分（例えば、縁部）は、丸めるか、又は面取りし得る。これは、床が破損する危険性の低減を助けながら、旋回を容易にすることができる。
【００６５】
上で示したように、例１〜例１２は、本発明を示すと共に、比較的単純な実施形態を示すが、最も好ましい実施形態ではない。より好ましくは、トレーニングエイドは、スキーブーツ内に挿入させずにスキーブーツの靴底に接触する形状の土台と、土台をスキーブーツに着脱可能に取り付ける（上で示したように）着脱可能取り付け手段とを備える。本発明のこのより好ましい実施形態を例１３において説明する。
【００６６】
本発明のこの実施形態では、バランス部材は、トレーニングエイドの土台に着脱可能に取り付けられる場合、任意の適切な形態であることができる。例えば、バランス部材は、例えば、図３４〜図３８に示されるようなブロックの形態であり得る。あるいは、バランス部材は、図１〜図２０に示されるバランス部材と同様の形態であり得、主な例外は、スキーブーツの靴底内に着脱可能に挿入されるのではなく、トレーニング部材の土台に着脱可能に取り付けられることである。したがって、例えば、バランス部材は、球形、円柱形、切頭円錐形部材、又はこれらの任意の部分（例えば、一部）という全体的な形態であり得る。
【００６７】
バランス部材の形状が何であれ、一般に言えば、地面に接触する表面積が大きいほど（使用中の場合）、その上でバランスをとることが容易になる。
【００６８】
本発明の一実施形態では、バランスをとる際に様々な難しさの程度を提供するいくつかの異なるトレーニングエイドを提供し得る。これらは等級付けることができ、あまり進んでいないトレーニングからより進んだトレーニングに（例えば、初心者／入門者から中級レベル、上級レベル、又はエキスパートレベルまで）進むために使用することができる。
【００６９】
実際には、トレーニングエイドの地面に接触する表面積が小さくなるにつれて、バランスをとるスキルにますます細かく磨きをかけることができる。したがって、トレーニング体制をセットアップし、それにより、ユーザが、比較的広い地面接触面積を有するトレーニングエイドを使用してのバランスとりを習熟した場合、このエイドを、地面接触面積がわずかにより小さなエイドで交換することができるなどである。
【００７０】
最終的に、地面接触面積は非常に小さくなるか、又はおおよそ１点にさえなることができる。この段階では、バランススキルは極めてよく発達することになる。これは、ユーザが、仮にスキー上で実行される場合に、スキーのスイートスポット又は上記スイートスポットの中央のますます近くに集中させるように、バランスをとれるようにすることができる。
【００７１】
中実のトレーニングエイドの使用又は中実のバランス部材の使用さえも必須ではない。トレーニングエイド又はトレーニングエイドの部分は、ユーザの体重に耐えるのに十分な強度を有する場合、中空（例えば、中空の球形、円筒形、ブロック、切頭円錐形、又はそれらの部分）であってもよい。
【００７２】
いくつかの場合、地面接触部分は単に、特定の例において後に考察するように、下縁部又は周縁部であり得る。しかし、地面接触部分が単純な縁部ではなく、連続面（例えば、平坦面又は湾曲面）を有する端面を提供することがより好ましい。例えば、端面は、ブロックの形態のバランス部材の端面であり得る。
【００７３】
トレーニングエイド、バランス部材、又はそれらの部分は、任意の適した材料又は材料の組み合わせを含み得る。これらとしては、プラスチック、合金、複合材料（例えば、炭素繊維、グラスファイバー、ラミネート）等が挙げられる。天然材料（例えば、木）を使用し得るが、一般には、少なくとも耐荷重部分にはあまり好ましくない。実際には、トレーニングエイドの大部分（例えば、容積及び／又は重量の５０％超）がプラスチック材料の形態であることが好ましい。高い弾性及び強度を有する工学プラスチック材料が好ましい。これらは当業者に既知であり、例として、ポリアミド、ポリカーボネート、アクリロニトリル・ブタジエン・スチレン（ＡＢＳ）等が挙げられる。
【００７４】
トレーニングエイドが、スキー上で繰り返された場合、ユーザがスイートスポットに圧力を集中させることを助けるように、ユーザのバランスを助ける場合、広範囲の形状、構成、及び／又は材料を使用することができる。
【００７５】
スキーヤーによっては、スイートスポットについて見聞きし、スイートスポットがどこかを理解さえもし得るが、高い割合のスキーヤーが、スキー上でバランスをとり、圧力をスイートスポットに集中させることに大きな問題を有し得ることに留意することが重要である。しかし、本発明のトレーニングエイドを使用して繰り返しトレーニングすることにより、ユーザは、スキーの他のエリアよりもスイートスポットに大きな圧力をかけることに、体が覚えるまで慣れることができる。そのようなバランスとりが、スキー中にごく普通に実行される場合、ユーザは、多くのスキー操作及びテクニックがどれほど容易になり得るかを理解することができる。
【００７６】
したがって、本発明は、スキーヤーのトレーニングの分野において大きな進歩を示す。
【００７７】
トレーニングエイドそれ自体及びスキーブーツ（又は他の足装着物）とトレーニングエイドとの組み合わせに加えて、エイドが取り付けられた状態で、本発明は様々な方法を含む。
【００７８】
本発明は、例えば、本発明のトレーニングエイドが各ブーツに取り付けられた状態の一対のスキーブーツを装着すること、及びブーツの装着者がバランス位置にある場合、スキーブーツ自体が地面に接触しないように、上記トレーニングエイド上でバランスをとるか、又はバランスをとろうとすることを含むスキーのトレーニング方法を含む。先に示したように、この位置では、本発明のトレーニングエイドの地面に接触する部分は、スキーブーツの下に配置されたバランス部材のみである。
【００７９】
本発明は、スキーブーツを取得すること、及び本発明のトレーニングエイドをスキーブーツに取り付けて、上述した組み合わせを提供することを含む方法をさらに含む。通常、トレーニングエイドが、一対のスキーブーツの各ブーツに取り付けられ、装置が取り付けられた上記一対のブーツを使用して、トレーニングが実行される。これも勿論、本発明の範囲内である。
【００８０】
本発明は様々なキットも含む。
【００８１】
例えば、本発明は、本発明のスキートレーニングエイド又はバランス部材を備えたキットであって、上記キットは、以下：
ａ）トレーニングエイドをスキーブーツに取り付ける際及び／又はトレーニングエイドをスキーブーツから取り外す際に使用するための説明書、
ｂ）バランス部材をトレーニングエイドの土台に取り付ける際及び／又はバランス部材を土台から取り外す際に使用するための説明書、
ｃ）各ブーツに取り付けられたトレーニングエイドを有する一対のスキーブーツを装着した場合のトレーニングのための説明書、
ｄ）トレーニングエイドをスキーブーツに取り付ける際及び／又はトレーニングエイドをスキーブーツから取り外す際に使用するための工具、
ｅ）バランス部材をトレーニングエイドの土台に取り付ける際及び／又はバランス部材を土台から取り外す際に使用するための工具、
ｆ）床プロテクタ、
ｇ）上記ａ）〜ｆ）のうちの１つ又は複数の容器
のうちの１つ又は複数をさらに備える、キットを含む。
【００８２】
好ましいキットは、本発明の複数のトレーニングエイド又はバランス部材を含む。したがって、例えば、通常、キット内には少なくとも一対のトレーニングエイド又はバランス部材が存在する。複数の対も存在し得る。
【００８３】
いくつかの場合では、キットは、異なるサイズ及び又は形状のトレーニングエイド又はバランス部材を備え得る。上述したように、これは、バランスとりにおける異なる程度の難しさを提供するのに有用であり得、それにより、バランスを取るスキルを向上させることができる。これらは、ここでも対で提供し得、異なる対は、バランスをとるための異なる表面積を有する。
【００８４】
例えば、初心者向けを目的とした一対のトレーニングエイドのそれぞれは、中級のスキーヤー向けの１対のトレーニングエイドよりも広い表面積を土台に有する。同様に、中級レベルのスキーヤー向けを目的とした１対のトレーニングエイドのそれぞれは、上級レベルのスキーヤー向けの一対のトレーニングエイドよりも広い表面積を土台に有し得る。勿論、所与のカテゴリのスキーヤー内の異なるレベルに異なるトレーニングエイドを提供することも可能である。
【００８５】
キットは、以下のうちの１つ又は複数をさらに含み得る：
ａ）一対のスキー、
ｂ）一対のスキーブーツ、
ｃ）一対のスキーポール、
ｄ）スキーグローブ、
ｅ）スキーゴーグル、
ｆ）スキー服、
ｇ）スキートレーニングマニュアル。
【００８６】
したがって、例えば、スキー関連商品の製造業者、販売者、又は配給者を、本発明の１つ又は複数の対のトレーニングエイドを販売パッケージの部分として含めるように説得することができる。これは、見込み購入者に追加の誘因を提供することができる。
【００８７】
スキーリゾート、スキーショップ、スキートレーニングセンターから、及び初心者から中級レベル、さらには上級レベルまでの広範囲のレベルのスキーヤーから、本発明のトレーニングエイドに対して大きな需要があると想像される。勿論、スキーの姿勢／バランスを向上させようとする個人が使用することができるが、教示又はデモンストレーションの助けとして使用することもできる。
【００８８】
本発明のスキートレーニングエイドは、好ましくは、多くの従来技術によるスキートレーニングエイドよりもはるかに可搬性が高い。したがって、容易に運ぶことができる。
【００８９】
トレーニングエイドは、単独で、又はより広いトレーニングプログラムの一環として使用し得る。例えば、スキーレッスン中に教えられるテクニックの練習又は開発を助け得る。
【００９０】
したがって、本発明のスキートレーニングエイドは、多くの重要な利点を提供する。
【００９１】
これより、対応する参照番号が対応する構成要素を示す図面を参照して、単なる例として本発明を説明する。
【００９２】
図１〜図１９及び例１〜例１２は、トレーニング装置の部分（ここでは、ねじ山）をスキーブーツの靴底に挿入することを含む、本発明者が考案した初期概念を示す。
【００９３】
図２０〜図３８及び例１３は、トレーニング装置のいかなる部分もスキーブーツの靴底に挿入する必要がないか、又は実際には、スキーブーツの構造を任意の他の方法で変更する好ましい発展を示す。したがって、スキーブーツは、トレーニングエイドを非侵襲的にスキーブーツに着脱可能に取り付けることは別として、変更されないままである。
【００９４】
これより、特定の図を参照する。
【図面の簡単な説明】
【００９５】
【図１】図の上に示される上からの図、図の中央に示される側面図、及び図の下部に示される下からの図を有する本発明の第１のスキートレーニングエイドを示す。
【図２】ここでも、関連図の上に示されるスキートレーニングエイドの上からの図、関連図の中央に示される側面図、及び関連図の下部に示される下からの図を有する本発明の第２のスキートレーニングエイドを示す。
【図３】ここでも、関連図の上に示されるスキートレーニングエイドの上からの図、関連図の中央に示される側面図、及び関連図の下部に示される下からの図を有する本発明の第３のスキートレーニングエイドを示す。
【図４】ここでも、関連図の上に示されるスキートレーニングエイドの上からの図、関連図の中央に示される側面図、及び関連図の下部に示される下からの図を有する本発明の第４のスキートレーニングエイドを示す。
【図５】ここでも、関連図の上に示されるスキートレーニングエイドの上からの図、関連図の中央に示される側面図、及び関連図の下部に示される下からの図を有する本発明の第５のスキートレーニングエイドを示す。
【図６】ここでも、関連図の上に示されるスキートレーニングエイドの上からの図、関連図の中央に示される側面図、及び関連図の下部に示される下からの図を有する本発明の第６のスキートレーニングエイドを示す。
【図７】ここでも、関連図の上に示されるスキートレーニングエイドの上からの図、関連図の中央に示される側面図、及び関連図の下部に示される下からの図を有する本発明の第７のスキートレーニングエイドを示す。
【図８】ここでも、関連図の上に示されるスキートレーニングエイドの上からの図、関連図の中央に示される側面図、及び関連図の下部に示される下からの図を有する本発明の第８のスキートレーニングエイドを示す。
【図９】ここでも、関連図の上に示されるスキートレーニングエイドの上からの図、関連図の中央に示される側面図、及び関連図の下部に示される下からの図を有する本発明の第９のスキートレーニングエイドを示す。
【図１０】ここでも、関連図の上に示されるスキートレーニングエイドの上からの図、関連図の中央に示される側面図、及び関連図の下部に示される下からの図を有する本発明の第１０のスキートレーニングエイドを示す。
【図１１】ここでも、関連図の上に示されるスキートレーニングエイドの上からの図、関連図の中央に示される側面図、及び関連図の下部に示される下からの図を有する本発明の第１１のスキートレーニングエイドを示す。
【図１２】ここでも、関連図の上に示されるスキートレーニングエイドの上からの図、関連図の中央に示される側面図、及び関連図の下部に示される下からの図を有する本発明の第１２のスキートレーニングエイドを示す。
【図１３】任意の図１〜図１２に示されるスキートレーニングエイドと併せて使用することができる標準のスキーブーツの側面図を示す。
【図１４】下から見た場合の図１３に示されるスキーブーツを示す。
【図１５】図１又は図２に示されるトレーニングエイドが取り付けられた図１３及び図１４に示されるスキーブーツを示す側面図である。
【図１６】図３又は図４に示されるトレーニングエイドが取り付けられた図１３及び図１４に示されるスキーブーツを示す側面図である。
【図１７】図５又は図６に示されるトレーニングエイドが取り付けられた図１３及び図１４に示されるスキーブーツを示す側面図である。
【図１８】図７又は図８に示されるトレーニングエイドが取り付けられた図１３及び図１４に示されるスキーブーツを示す側面図である。
【図１９】図９又は図１０に示されるトレーニングエイドが取り付けられた図１３及び図１４に示されるスキーブーツを示す側面図である。
【図２０】図１１又は図１２に示されるトレーニングエイドが取り付けられた図１３及び図１４に示されるスキーブーツを示す側面図である。
【図２１】図１〜図２０に示されるトレーニングエイドに対する本発明の代替のトレーニングエイドの斜視図を示し、ここでは、トレーニングエイドは、右のスキーブーツにストラップで固定されるように設計された右足トレーニングエイドであり、図はトレーニングエイドの前から片側に示され、踵ストラップが、紙内に後方に突出し、つま先ストラップが紙から出るように突出する。
【図２２】図２１と同様であるが、代替のトレーニングエイドは１８０°回転しているため、踵ストラップが紙から出るように突出し、つま先ストラップが紙内に突出する。
【図２３】片側に回転されて、バランス部材が取り付けられたトレーニングエイドの土台の斜視図を示す、図２２に示されるトレーニングエイドを示す。
【図２４】図２１〜図２３に示される代替のトレーニングエイドの平面図を示す。
【図２５】図２１〜図２３に示される代替のトレーニングエイドの側面図を示す。
【図２６】図２１〜図２３に示される代替のトレーニングエイドの正面図を示す。
【図２７】土台に嵌められた様々な異なるバランス部材を備える代替のトレーニングの比較図を示し、バランス部材は図２７から図３０に向けて小さくなり、それにより、バランスをとる難しさの程度が増大する。
【図２８】土台に嵌められた様々な異なるバランス部材を備える代替のトレーニングの比較図を示し、バランス部材は図２７から図３０に向けて小さくなり、それにより、バランスをとる難しさの程度が増大する。
【図２９】土台に嵌められた様々な異なるバランス部材を備える代替のトレーニングの比較図を示し、バランス部材は図２７から図３０に向けて小さくなり、それにより、バランスをとる難しさの程度が増大する。
【図３０】土台に嵌められた様々な異なるバランス部材を備える代替のトレーニングの比較図を示し、バランス部材は図２７から図３０に向けて小さくなり、それにより、バランスをとる難しさの程度が増大する。
【図３１】個々の構成要素をより明白に見ることができるように、図３０に示される代替のトレーニングエイドの分解組立図を示す。
【図３２】代替のトレーニングエイドの土台の形成に使用されるフットプレートの上面図を示し、ここでは、土台の組み立て前であり、前駆体形態であるフットプレートが示される。
【図３３】下側から見た場合の図３２に示されるフットプレートの図を示す。
【図３４】土台から取り外された場合の図２７のそれぞれに示されるバランス部材を示す。
【図３５】土台から取り外された場合の図２８のそれぞれに示されるバランス部材を示す。
【図３６】土台から取り外された場合の図２９のそれぞれに示されるバランス部材を示す。
【図３７】土台から取り外された場合の図３０のそれぞれに示されるバランス部材を示す。
【図３８】片側から見た場合のスキーブーツに取り付けられた代替のトレーニングエイドを示す。
【発明を実施するための形態】
【００９６】
参照を容易にするために、以下の例において、スキーブーツに取り付けられ、スキーのスイートスポット上でのバランスとりを模倣するようにバランスをとるために使用されるトレーニングエイドを参照して本発明を考察した。勿論、実際には、一対のスキーブーツ（左右）が使用され、トレーニングエイドが各ブーツに取り付けられることが理解されよう。
【００９７】
各スキー（左右）がスイートスポットを有し、２つのスキーのスイートスポットへの体重の分配が、上述したように、様々であり得ることも理解されよう。したがって、例で説明されるスキートレーニングエイドが、スキーの際に等しい圧力を各スイートスポットに加えるテクニックを練習するために使用されることは必須ではない。
【００９８】
しかし、スキーのスイートスポット以外の部分、例えば、スイートスポットに等しいサイズであるが、スキーに沿って異なる位置にある他の部分に加えられる圧力よりも大きな圧力が各スキーのスイートスポットに加えられることが望ましい。
【００９９】
例１
本発明の第１のスキートレーニングエイド
本発明の第１のスキートレーニングエイド１０は、（厳密なサイズ及び形状は異なり得るが）サッカー又は他のスポーツに使用されるスタッドの形態と同様の形態である。
【０１００】
トレーニングエイド１０は図１に示され、図１３又は図１４に示されるようなスキーブーツに取り付けて、ブーツの装着者が、さらに詳細に後述するように、スキーのスイートスポットに対応する領域に圧力をかけるトレーニングを行うことができる図１５に示されるような組み合わせを提供することができる。
【０１０１】
第１のトレーニングエイド１０が、（バランス部材として機能する）切頭円錐形主体１２と、上記主体１２から上方に突出するねじ山１４とを備えることが分かる。
【０１０２】
この例及びその他の例では、主体１２は、好ましくは、強度が高く、弾性のあるプラスチック材料で形成される。ポリアミド材料（例えば、「ＰＡ６」（登録商標）又は「Ｎｙｌｏｎ６」（登録商標）として知られるポリアミド）が好ましい。ねじ１２は弾性鋼ねじである。
【０１０３】
図１に示される実施形態では、ねじ山１４は丸められた上部１６を有する。これは、例えば、小錐、ねじ、又は別の開口部形成器具を使用して、スキーブーツの靴底にすでに形成されている開口部内に挿入することができる。
【０１０４】
いくつかの場合、スキーブーツの靴底は、例えば、相補的なねじ山を有し得る対応するソケットを妥当な位置に有することにより、ねじ山１４又は他の挿入手段を受けるように特に適合し得る。しかし、これは必須ではない。実際には、大抵の場合、トレーニングエイド１０を標準のスキーブーツに取り付けることも考案される。
【０１０５】
勿論、尖った先端を有するねじ１４（又は他の挿入手段）を提供することも可能である。これは、予め形成された開口部又はソケットが存在する必要なく、第１のトレーニングエイド１０をスキーブーツの靴底に挿入するために使用することができる。
【０１０６】
第１のトレーニングエイド１０の本体１２は、破損することなく人の体重に耐えることができる任意の適した材料で形成することができる。したがって、例えば、プラスチック材料、金属、合金、複合材料（例えば、炭素繊維複合材）等をすべて使用し得る。
【０１０７】
実際には、いくつかの場合、ある程度の変形が可能な材料を本体１２又は本体１２の部分に使用し得る（例えば、ゴム又は合成ゴム材料を使用し得る）。これは、第１のトレーニングエイド１０を屋内で使用すべきであり、例えば、床を保護することが望ましい場合に使用することができる。同様の理由により、コーティング／外層を設けることも可能である。
【０１０８】
この実施形態と同様に、第１のトレーニングエイド１０の部分が、スキーブーツの靴底に挿入されるように設計される場合（ここではねじ山１４）、これは通常、スキーブーツの靴底を形成する材料よりも硬い材料で形成される。例えば、硬質金属又は合金であり得るが、勿論、複合材料、プラスチック、又は堅い木／ラミネートさえも含む多くの他の可能性もある。
【０１０９】
多くの場合、スキーブーツへの取り付けに使用される第１のトレーニングエイド１０の部分１４は、バランスをとるために使用されるトレーニングエイド１０の本体１２とは異なる材料から形成される。しかし、これは必須ではない。例えば、単一の材料から形成される第１のトレーニングエイド１０を提供することが可能である。これは、成形、鋳造、整形、彫刻等により行うことができる。
【０１１０】
この例で説明され、図１に示される第１のトレーニングエイド１０は、平坦で円形の土台１８を有することが分かる。この土台１８は、バランスをとろうとするために有用な表面を提供する。土台１８は、第１のトレーニングエイド１０がスキーブーツの靴底にねじ込まれる程度が深くなりすぎることを回避するストップとして機能する主体の上面２０と比較して、相対的に小さな表面積を有する。
【０１１１】
異なる面積の土台１８を有する複数の第１のトレーニングエイド１０を有するキットを提供することさえも可能である。その場合、ユーザは、比較的大きな土台１８を有する第１のトレーニングエイド１０から開始し、時間を経て学習して、スキーブーツに挿入された場合、この第１のトレーニングエイド１０を使用して良好なバランスを達成するか、又は少なくともバランススキルを向上させることができる。次に、ユーザは、第１のトレーニングエイド１０をスキーブーツから取り外して、より小さな面積の土台１８を有するトレーニングエイドと交換し、バランススキルが向上するまで、これを使用してバランスをとることを再び練習することができる。
【０１１２】
次に、より小さな面積の土台１８を有する第１のトレーニングエイド１０を、さらに小さな面積などの土台１８を有する第１のトレーニングエイドと交換することができるである。土台１８の面積が低減するにつれて、ユーザは、スキーのスイートスポットに対応する（仮にスキーブーツがスキーに取り付けられた場合）ますます小さな面積上でバランスをとることにますます有能になることができる。したがって、ユーザは、単純に大半の標準スキートレーニング装置を使用しては不可能なように、スイートスポットに集中させることにますます熟練することができる。実際には、第１のトレーニングエイド１０により、ユーザが実質的に、スイートスポットがどこにあり得るかの理論的な事柄に頼る必要なく、スイートスポットの位置に対する感覚を育てることができる。これは次に、スキーのいくらかの練習をすでに行っている人々の場合、スキーテクニックの向上に置き換えることができる。初心者の場合、本発明によるトレーニングエイドを使用しない場合に予期し得るよりはすでにはるかに進んだ開始テクニックを達成することができる。
【０１１３】
いずれの場合でも、第１のトレーニングエイド１０により、これを達成するためにピスト上での長く（且つ高価な）レッスンを必要とせずに、スキーのスイートスポットに圧力をかける良好なバランスをとるスキー位置を達成することができる。
【０１１４】
第１のトレーニングエイド１０は、必要に応じてスキーブーツにねじ込み、又は取り外すことができる。これは、手で、又は所望であれば、工具を使用することにより行い得る（例えば、スパナ、ねじドライバー、又はキーを使用し得る）。
【０１１５】
トレーニングエイドは、任意選択的に、工具との係合を助けるような形状であり得る（例えば、ねじドライバーの頭部、アレンキー等のキーを受けるため、スパナに係合するため等）。実際には、単純な実施形態では、標準のスポーツスタッドを、上記スタッド用にすでに形作られたスタッドスパナを使用してスキーブーツにねじ込み、又は取り外し得る。
【０１１６】
これより図１３〜図１５をさらに詳細に参照すると、標準のスキーブーツ１００がこれらの図に示される。ブーツは、ブーツの幅にわたりブーツの靴底の中央を通る垂直面を示す中央マーク１０２（ミッドソールマークと呼ぶこともできる）の形態のインジケータを有する。この平面は、ブーツがスキーに使用される場合、スイートスポットも通り、好ましくは、スイートスポットを二等分する。これらのインジケータ１０２は、ビンディングを介してスキーに着脱可能に取り付けられた場合、ブーツを位置決めするための助けとして使用することができる。
【０１１７】
矢印１０４は、図１３に示されるように、圧力をスキーのスイートスポットに圧力に加えるために理想的な位置（スキーの際、ここにブーツ１００がビンディングにより取り付けられる）を示す。
【０１１８】
図１４も中央マーク１０２を示す。ブーツの各側に１つの中央マーク１０２がある。この場合、小さな円１０６も、マークの間の中間点に見える。これは、圧力をスキーのスイートスポットに加えるための理想的な位置を示す（上述した矢印１０４のベースに対応する）。これは、図１〜図１２に示されるトレーニングエイド１０がブーツにねじ込まれる位置にも対応する。
【０１１９】
図１５は、第１のトレーニングエイド１０が取り付けられた状態のブーツ１００を示す。第１のトレーニングエイド１０は、図１４に示される円１０６（靴底の中心点を記す）の中心を通るねじ山１４を使用してブーツ１００に取り付けられた。ねじ山１４は、第１のトレーニングエイド１０の主体１２の上面２０が、ブーツの靴底の下面に当接することによりストップとして機能するまで、所定位置にねじ込まれた。したがって、第１のトレーニングエイド１０は、ねじを外すことで取り外したくなるまで、所定位置に固定される。
【０１２０】
ブーツ１００の装着者は、バランスのとれた位置が達成されるまで、前後に傾くことができる。装着者は、追加／代替として、トレーニングエイドの土台１８上でバランスをとろうとしながら、左右に傾くことができる。実際には、バランスを達成しようとして、スキー中にとり得る位置を模倣しながら、様々な位置を試みることができる。常に、装着者は、圧力をスキーのスイートスポットに加えることを模倣するように、圧力をかけるバランスのとれた位置に自信を持つことができる。
【０１２１】
例２
本発明の第２のスキートレーニングエイド
第２のトレーニングエイド１０は、図２に示され、図１３又は図１４に示されるような標準のスキーブーツ１００に取り付けて、図１５に示されるような組み合わせを提供することができる。
【０１２２】
第２のトレーニングエイド１０は、図１に示され、例１において説明された第１のトレーニングエイド１０に非常に類似する。しかし、ここでは、第２のトレーニングエイド１０の（バランス部材として機能する）主体１２は、中実ではなく中空である。
【０１２３】
したがって、第２のトレーニングエイド１０の土台１８は、円形の平面の形態ではなく、本質的に管状／リング状の形である。しかし、実際には、第２のトレーニングエイド１０は、図１に示される第１のトレーニングエイド１０と同じように使用される。実際には、土台１８はやはり、中心点を中心にして対称であり、バランスをとる感覚は殆ど同じである。しかし、土台１８の中空構造により、材料を節約することができる。
【０１２４】
勿論、図１に示される土台のより中実的な性質と比較した場合、主体１２の中空性を考えると、第２のトレーニングエイド上でバランスをとる際、土台１８がスキーブーツ１００装着した人を支持するのに十分な強度を有することを保証すべきである。したがって、必要な場合、第１のトレーニングエイドの本体１２の作る場合よりも強度の高い材料を使用することができる。しかし、材料が十分な強度を有する場合、勿論、これは必要ない。
【０１２５】
中空の主体１２は、コスト節減又は材料節減は別として、他の目的でも有用であり得る。例えば、ねじの頭部の収容に使用し、ねじドライバーにアクセスできるようにし得る。ねじの軸が、スキーブーツ１００の靴底へのねじ込みに使用される場合、これは、第２のトレーニングエイド１０をスキーブーツ１００に取り付ける有用な方法を提供することができる。代替の実施形態では、ねじドライバーを使用せずに（例えば、スパナを使用するか、又は手により）第２のトレーニングエイド１０をスキーブーツ１００の靴底に押し込んで回すことができる。
【０１２６】
第１のトレーニングエイド１０が中実の本体１２を有し、第２のトレーニングエイドが中空の本体１２を有することは別として、第１及び第２のトレーニングエイド１０が同じ形状を有することを考えると、横からは同じに見える。したがって、図１５は、スキーブーツ１００の下側に取り付けられた場合のこれらのトレーニングエイド１０のうちのいずれかを示す。
【０１２７】
例３
本発明の第３のスキートレーニングエイド
第３のトレーニングエイド１０は、図３に示され、図１３又は図１４に示されるような標準のスキーブーツ１００に取り付けて、図１６に示されるような組み合わせを提供することができる。
【０１２８】
第３のトレーニングエイド１０は、図１に示される第１のトレーニングエイド１０の切頭円錐形主体１２ではなく、円柱形の（バランス部材として機能する）主体１２を有する。ここでも、主体１２の土台１８は平坦な表面を有する。しかし、ここでは、円柱形のため、土台１８の表面が主体の上部２０の表面と同じサイズを有することが理解されよう。これは、土台１８が上部２０よりもはるかに小さな表面積を有する図１に示される切頭円錐形の主体１８とは対照的である。
【０１２９】
したがって、上記トレーニングエイドが同じサイズ及び形状の上面を有する主体を有すると仮定して、図３に示される第３のトレーニングエイド１０では、図１に示される第１のトレーニングエイド１０よりも（且つ図２に示される第２のトレーニングエイドよりも）容易にバランスをとることが可能であり得る。これは、図３に示される円柱形のトレーニングエイドの主体１２の先細りのない性質と比較して、図１に示されるトレーニングエイドの主体１２の下に向かって先細りする性質による。
【０１３０】
したがって、第３のトレーニングエイド１０は、第１（又は第２）のトレーニングエイド１０よりもトレーニングの初期の段階で使用し得る。さらなる代替では、勿論、直径がますます小さくなり、それにより、土台１８の表面積もますます小さくなる円柱形の主体１２を有する一連の第３のトレーニングエイド１０を提供することも可能である。ここでも、これはトレーニングプログラムのセットアップを可能にし、それにより、訓練を受けている人が集中させる面積が小さくなるにつれて、バランスをとる難しさの程度を増大させることができる。（実際には、ターゲットとするスイートスポットが小さくなると考えることができる）。
【０１３１】
これより図１６をより詳細に参照すると、第３のトレーニングエイド１０は、図１５を参照して第１のトレーニングエイド１０に関して例１において説明したのと殆ど同じように、スキーブーツ１００の下側に取り付けられて示される。しかし、図１６では、第３のトレーニングエイド１０の主体１２が上から下に先細りしないことが分かる。
【０１３２】
上述したように、これは、下に向かって先細りする対応するトレーニングエイド１０を使用する場合よりも、バランスをとることを容易にすることができる。トレーニングエイド１０により加えられる圧力の低減にも有用であり得る（先細りするトレーニングエイドと比較して）。これは、床を破損する危険性を低減することができる。
【０１３３】
例４
本発明の第４のスキートレーニングエイド
第４のトレーニングエイド１０を図４に示す。第４のトレーニングエイド１０は、図３に示され、例３において説明された第３のトレーニングエイド１０に非常に類似する。しかし、第４のトレーニングエイド１０の（バランス部材として機能する）主体１２は中空である。中空の本体の可能な利点は例２で考察され、ここでも準用される。
【０１３４】
第３のトレーニングエイド１０が中実の本体１２を有し、第４のトレーニングエイドが中空の本体１２を有することは別として、第３及び第４のトレーニングエイド１０が同じ形状を有することを考えると、横からは同じに見える。したがって、図１６は、スキーブーツ１００の下側に取り付けられた場合のこれらのトレーニングエイド１０のうちのいずれかを示す。
【０１３５】
例５
本発明の第５のスキートレーニングエイド
第５のトレーニングエイド１０は、図５に示され、図１３又は図１４に示されるような標準のスキーブーツ１００に取り付けて、図１７に示されるような組み合わせを提供することができる。ここに示される第５のトレーニングエイド１０は、切頭円錐形の（バランス部材として機能する）主体１２が下向きの方向ではなく上方向に先細りすることは別として、図１に示される第１のトレーニングエイド１０と同様である。
【０１３６】
この効果は、主体１２の下面１８が上面２０よりも大きいことである。したがって、同じ質量の切頭円錐形の主体を有するが、逆の方向に先細りする第５及び第１のトレーニングエイド１０の場合、第５のトレーニングエイド１０は、第１のトレーニングエイドよりもバランスをとることがはるかに容易である。第５のトレーニングエイド１０では、床に加えられる圧力をはるかに小さくすることもできる。
【０１３７】
したがって、同じ質量であるが、それぞれが異なる下面表面積１８を有する主体１２をそれぞれ有する第１、第３、及び第５のトレーニングエイド１０（又は第２、第４、及び第６のトレーニングエイド１０）を含むキットを提供することが可能である。
【０１３８】
ユーザは、スキーブーツ１００に取り付けられた第５のトレーニングエイド１０を使用することによりトレーニングを開始し、次に第３のトレーニングエイド１０と交換し、次に第１のトレーニングエイド１０と交換することができ、難しさの程度は、トレーニングエイド１０の土台の表面積１８が低減するにつれて増大する。ここでも、これにより、スイートスポットへの集中を増大させることができる（又はますます小さなサイズのスイートスポットに集中させることができる）。
【０１３９】
さらなる代替では、勿論、下から上への先細りが徐々に低減し、それにより、土台の表面積がますます小さくなる主体１２を有する一連の第５のトレーニングエイド１０を提供することが可能である。ここでも、これはトレーニングプログラムのセットアップを可能にし、それにより、訓練を受けている人が集中させる面積が小さくなるにつれて、バランスをとる難しさの程度を増大させることができる。（実際には、ターゲットとするスイートスポットが小さくなると考えることができる）。
【０１４０】
これより図１７をさらに詳細に参照すると、第５のトレーニングエイド１０は、図１５を参照して第１のトレーニングエイド１０に関して例１において説明したのと殆ど同じように、スキーブーツ１００の下側に取り付けられて示される。しかし、図１７では、第５のトレーニングエイド１０の主体１２が上から下に先細りせず、逆方向に（すなわち、下から上に）先細りすることが分かる。
【０１４１】
上述したように、これは、上から下に向かって先細りする主体１２を有する対応するトレーニングエイド１０を使用する場合よりも、バランスをとることを容易にすることができる。トレーニングエイド１０により加えられる圧力の低減にも有用であり得る（ここでも、上から下に先細りする主体１２を有するトレーニングエイド１０と比較して）。これは、トレーニングエイド１０が屋内で使用され、この実施形態が使用されない場合には床を破損し得る場合に重要であり得る。
【０１４２】
例６
本発明の第６のスキートレーニングエイド
本発明の第６のトレーニングエイド１０を図６に示す。第６のトレーニングエイド１０は、図５に示され、例５において説明された第５のトレーニングエイド１０に非常に類似する。しかし、第６のトレーニングエイド１０の（バランス部材として機能する）主体１２は中空である。中空の本体の可能な利点は例２で考察され、ここでも準用される。
【０１４３】
第５のトレーニングエイド１０が中実の本体１２を有し、第６のトレーニングエイドが中空の本体１２を有することは別として、第５及び第６のトレーニングエイド１０が同じ形状を有することを考えると、横からは同じに見える。したがって、図１７は、スキーブーツ１００の下側に取り付けられた場合のこれらのトレーニングエイド１０のうちのいずれかを示す。
【０１４４】
例７
本発明の第７のスキートレーニングエイド
本発明の第７のトレーニングエイド１０を図７に示す。第７のトレーニングエイド１０は、図１３又は図１４に示されるような標準のスキーブーツ１００に取り付けて、図１８に示されるような組み合わせを提供することができる。
【０１４５】
第７のトレーニングエイド１０は、中実の球体を切り取った部分の形態の（バランス部材として機能する）主体１２を有し、球体の上の比較的大きな部分が切り取られ、球体の底の比較的小さな部分が切り取られている。主体１２の上面２０及び下面１８は、平坦であり、円形の縁部を有し、下面１８は上面２０よりも小さな表面積を有する。したがって、いくつかの態様では、このトレーニングエイド１０は、図１に示されるトレーニングエイド１０と同様であると考えることができる。しかし、第７のトレーニングエイド１０の主体１２は、図１に示されるトレーニングエイド１０の切頭円錐形の主体１２の直線で傾く側面と比較して、丸められた側面を有する。
【０１４６】
これは、トレーニングエイド１０が取り付けられたブーツを装着したユーザが、より容易に旋回／揺動／回転できるようにし、それにより、スイートスポットに対応するスポットにかける圧力を最大にするようにしながら、異なるスキーテクニックを練習する場合に有用であり得る。
【０１４７】
本発明のその他のトレーニングエイド１０と同様に、ユーザは、比較的大きな土台１８を有する第７のトレーニングエイド１０から開始し、時間を経て学習して、スキーブーツに挿入された場合、このトレーニングエイド１０を使用して良好なバランスを達成するか、又は少なくともバランススキルを向上させることができる。次に、ユーザは、第７のトレーニングエイド１０をスキーブーツから取り外して、より小さな面積の土台１８を有する別の第７のトレーニングエイドと交換し、バランススキルが向上するまで、これを使用してバランスをとることを再び練習することができる。
【０１４８】
次に、より小さな面積の土台１８を有する第７のトレーニングエイド１０を、さらに小さな面積の土台１８を有する第７のトレーニングエイドと交換することができるなどである。土台１８の面積が低減するにつれて、ユーザは、スキーのスイートスポットに対応する（仮にスキーブーツがスキーに取り付けられた場合）ますます小さな面積上でバランスをとることにますます有能になることができる。
【０１４９】
代替は、ユーザが、上述した第７のトレーニング１０から開始し、以下の例で考察される第９〜第１１のトレーニングエイド１０に進むことである。したがって、バランスをとる難しさの程度は、スイートスポットに対応する領域上でバランスをとることの集中の増大に対応して増大し得る。［これは、いくつかの点では、第１のトレーニングエイド１０から開始して、上述した第３及び第５のトレーニングエイド１０を通して進むことに類似する］。
【０１５０】
これより図１８をさらに詳細に参照すると、第７のトレーニングエイド１０は、図１５を参照して第１のトレーニングエイド１０に関して例１において説明したのと殆ど同じように、スキーブーツ１００の下側に取り付けられて示される。しかし、図１８では、第７のトレーニングエイド１０の主体１２が上から下に規則正しく先細りせず、上から下に湾曲し、それにより、様々な操作の練習に都合のよい表面を提供することが分かる。
【０１５１】
例８
本発明の第８のスキートレーニングエイド
本発明の第８のトレーニングエイド１０を図８に示す。第８のトレーニングエイド１０は、図７に示され、例７において説明された第７のトレーニングエイド１０に非常に類似する。しかし、第８のトレーニングエイド１０の（バランス部材として機能する）主体１２は中空である。
【０１５２】
中空の本体の可能な利点は例２で考察され、ここでも準用される。
【０１５３】
第７のトレーニングエイド１０が中実の本体１２を有し、第８のトレーニングエイドが中空の本体１２を有することは別として、第７及び第８のトレーニングエイド１０が同じ形状を有することを考えると、横からは同じに見える。したがって、図１８は、スキーブーツ１００の下側に取り付けられた場合のこれらのトレーニングエイド１０のうちのいずれかを示す。
【０１５４】
例９
本発明の第９のスキートレーニングエイド
本発明の第９のトレーニングエイド１０を図９に示す。第９のトレーニングエイド１０は、図１３又は図１４に示されるような標準のスキーブーツ１００に取り付けて、図１９に示されるような組み合わせを提供することができる。
【０１５５】
第９のトレーニングエイド１０は、中実球体の部分の形態の（バランス部材として機能する）主体１２を有し、球体の上下の等しい部分が切り取られている。主体１２の上面２０及び下面１８は、平坦であり、円形の縁部を有し、下面１８は上面２０と同じ表面積を有する。したがって、いくつかの点では、このトレーニングエイド１０は、図３に示されるトレーニングエイド１０と同様であると考えることができる。しかし、第９のトレーニングエイド１０の主体１２は、図３に示されるトレーニングエイド１０の円柱形の主体１２の一定の断面と比較して、丸められた側面を有する。
【０１５６】
これは、トレーニングエイド１０が取り付けられたブーツを装着したユーザが、より容易に旋回／揺動／回転できるようにし、それにより、スイートスポットに対応するスポットにかける圧力を最大にするようにしながら、異なるスキーテクニックを練習する場合に有用であり得る。
【０１５７】
本発明のその他のトレーニングエイド１０と同様に、ユーザは、比較的大きな土台１８を有する第９のトレーニングエイド１０から開始し、時間を経て学習して、スキーブーツに挿入された場合、このトレーニングエイド１０を使用して良好なバランスを達成するか、又は少なくともバランススキルを向上させることができる。
【０１５８】
次に、ユーザは、第９のトレーニングエイド１０をスキーブーツから取り外して、より小さな面積の土台１８を有する別の第９のトレーニングエイドと交換し、バランススキルが向上するまで、これを使用してバランスをとることを再び練習することができる。
【０１５９】
次に、より小さな面積の土台１８を有する第９のトレーニングエイド１０を、さらに小さな面積の土台１８を有する第９のトレーニングエイドと交換することができるなどである。土台１８の面積が低減するにつれて、ユーザは、スキーのスイートスポットに対応する（仮にスキーブーツがスキーに取り付けられた場合）ますます小さな面積上でバランスをとることにますます有能になることができる。
【０１６０】
代替は、ユーザが、上述した第７のトレーニング１０から開始し、ここで考察される第９のトレーニングエイドに進み、次に、後述する第１１のトレーニングエイド１０に進むことである。したがって、バランスをとる難しさの程度は、スイートスポットに対応する領域上でバランスをとることの集中の増大に対応して増大し得る。［これは、いくつかの点では、第１のトレーニングエイド１０から開始して、上述した第３及び第５のトレーニングエイド１０を通して進むことに類似する］。
【０１６１】
これより図１９をさらに詳細に参照すると、第９のトレーニングエイド１０は、図１６を参照して第３のトレーニングエイド１０に関して例３において説明したのと殆ど同じように、スキーブーツ１００の下側に取り付けられて示される。しかし、図１９では、第９のトレーニングエイド１０の主体１２が、上から下まで同じ断面を有さず、上から下に湾曲し、それにより、様々な操作の練習に都合のよい耐荷重面を提供することが分かる。
【０１６２】
例１０
本発明の第１０のスキートレーニングエイド
本発明の第１０のトレーニングエイド１０を図１０に示す。
【０１６３】
第１０のトレーニングエイド１０は、図９に示され、例９において説明された第９のトレーニングエイド１０に非常に類似する。しかし、第１０のトレーニングエイド１０の（バランス部材として機能する）主体１２は中空である。中空の本体の可能な利点は例２で考察され、ここでも準用される。
【０１６４】
第９のトレーニングエイド１０が中実の本体１２を有し、第１０のトレーニングエイドが中空の本体１２を有することは別として、第９及び第１０のトレーニングエイド１０が同じ形状を有することを考えると、横からは同じに見える。
【０１６５】
したがって、図１９は、スキーブーツ１００の下側に取り付けられた場合のこれらのトレーニングエイド１０のうちのいずれかを示す。
【０１６６】
例１１
本発明の第１１のスキートレーニングエイド
本発明の第１１のトレーニングエイド１０を図１１に示す。第１１のトレーニングエイド１０は、図１３又は図１４に示されるような標準のスキーブーツ１００に取り付けて、図２０に示されるような組み合わせを提供することができる。
【０１６７】
第１１のトレーニングエイド１０は、球体の部分の形態の（バランス部材として機能する）主体１２を有し、球体の下部の比較的大きな部分が切り取られ、球体の上部の比較的小さな部分が切り取られている。主体１２の上面２０及び下面１８は、平坦であり、円形の縁部を有し、下面１８は上面２０よりも大きな表面積を有する。したがって、いくつかの点では、このトレーニングエイド１０は、図５に示されるトレーニングエイド１０と同様であると考えることができる。
【０１６８】
しかし、第１１のトレーニングエイド１０の主体１２は、図５に示されるトレーニングエイド１０の切頭円錐形の主体１２の直線で傾く側面と比較して、丸められた側面を有する。
【０１６９】
これは、トレーニングエイド１０が取り付けられたブーツを装着したユーザが、より容易に旋回／揺動／回転できるようにし、それにより、スイートスポットに対応するスポットにかける圧力を最大にするようにしながら、異なるスキーテクニックを練習する場合に有用であり得る。
【０１７０】
本発明のその他のトレーニングエイド１０と同様に、ユーザは、比較的大きな土台１８を有する第７のトレーニングエイド１０から開始し、時間を経て学習して、スキーブーツに挿入された場合、このトレーニングエイド１０を使用して良好なバランスを達成するか、又は少なくともバランススキルを向上させることができる。
【０１７１】
次に、ユーザは、第１１のトレーニングエイド１０をスキーブーツから取り外して、より小さな面積の土台１８を有する別の第１１のトレーニングエイドと交換し、バランススキルが向上するまで、これを使用してバランスをとることを再び練習することができる。
【０１７２】
次に、より小さな面積の土台１８を有する第１１のトレーニングエイド１０を、さらに小さな面積の土台１８を有する第１１のトレーニングエイドと交換することができるなどである。土台１８の面積が低減するにつれて、ユーザは、スキーのスイートスポットに対応する（仮にスキーブーツがスキーに取り付けられた場合）ますます小さな面積上でバランスをとることにますます有能になることができる。
【０１７３】
代替は、ユーザが、第７のトレーニング１０から開始し、第９及び第１１のトレーニングエイド１０を通して進むことである。したがって、バランスをとる難しさの程度は、スイートスポットに対応する領域上でバランスをとることの集中の増大に対応して増大し得る。［これは、いくつかの点では、第１のトレーニングエイド１０から開始して、上述した第３及び第５のトレーニングエイド１０を通して進むことに類似する］。
【０１７４】
これより図２０をさらに詳細に参照すると、第１１のトレーニングエイド１０は、図１７を参照して第１のトレーニングエイド１０に関して例５において説明したのと殆ど同じように、スキーブーツ１００の下側に取り付けられて示される。しかし、図２０では、第１１のトレーニングエイド１０の主体１２が下から上に規則正しく先細りせず、湾曲し、それにより、様々な操作の練習に都合のよい表面を提供することが分かる。
【０１７５】
例１２
本発明の第１２のスキートレーニングエイド
本発明の第１２のトレーニングエイド１０を図１２に示す。
【０１７６】
第１２のトレーニングエイド１０は、図１１に示され、例１１において説明された第１１のトレーニングエイド１０に非常に類似する。しかし、第１２のトレーニングエイド１０の（バランス部材として機能する）主体１２は中空である。中空の本体の可能な利点は例２で考察され、ここでも準用される。
【０１７７】
第１１のトレーニングエイド１０が中実の本体１２を有し、第１２のトレーニングエイドが中空の本体１２を有することは別として、第１１及び第１２のトレーニングエイド１０が同じ形状を有することを考えると、横からは同じに見える。したがって、図２０は、スキーブーツ１００の下側に取り付けられた場合のこれらのトレーニングエイド１０のうちのいずれかを示す。
【０１７８】
例１３
本発明の第１３のスキートレーニングエイド
これは、先の例において考察されたトレーニングエイド１０に対する代替のトレーニングエイド１１０である。先の例では、様々なサイズ又は形状のブロックの形態のバランス部材を備えたトレーニングエイド１０が、スキーブーツの靴底の真下に配置される。これは、ねじを使用してスキーブーツの靴底に挿入することにより達成される。したがって、靴底は貫入される。
【０１７９】
実際には、これは殆ど破損を生じさせ得ないが（特に、ねじ山を受けるインサートがスキーブーツに設けられる場合）、スキーヤーによっては、そのようにしてスキーブーツを変更することを嫌がる者が存在し得る。
【０１８０】
代替のトレーニングエイド１１０の様々な図を図２１〜図２６に示す。ここでは、右のスキーブーツに嵌められるトレーニングエイド１１０が示される。（左のブーツに嵌められる対応するトレーニングエイドは示されないが、本質的に右のブーツの鏡像である）。図３８は、片側から見た場合のスキーブーツ１００に取り付けられたトレーニングエイド１１０を示す。
【０１８１】
トレーニングエイド１１０は、スキーブーツの靴底に接触する概して平坦な底板１１３を含む土台１１２と、補強部材１１５（例えば、図２３参照）とを有する。補強部材１１５は、底板１１３と比較して相対的に厚い。底板１１３は、ある程度の可撓性並びにグリップの増大の提供を助け得る複数の溝１１７を含む。底板１１３には、図では楕円形で示されるラベル１１９が取り付けられる。
【０１８２】
ラベル１１９は、任意の所望の手段（例えば、接着剤、圧入機構等により）により底板１１３に取り付けることができ、宣伝、技術的な情報、製造業者若しくはトレードマーク所有者の識別、又は任意の他の所望の目的のために使用することができる。例えば、ラベル１１９はロゴを含み得る。ラベル１１９は、図３１を参照して後述するように、カバーとしても機能し得る。実際には、いくつかの場合では、ラベル１１９には何も記されず、単にカバーとして機能することもできる。
【０１８３】
土台１１２は、比較的薄い可撓性サイド１１４、１１６に接続され、それにより、前部ストラップ１１８及び踵ストラップ１２０に相互接続され、これらストラップ１１８、１２０は、ストラップ１１８、１２０が解放されるまで、底板１１３をスキーブーツの靴底に当ててしっかりと保持するように機能する。
【０１８４】
底板１１３、補強部材１１５、及びサイド１１４、１１６はすべて、後述するように、一体の成形プラスチック材料で形成することができる。これは、好ましくは、強度が高く弾性を有するプラスチック材料で形成される。ポリアミド材料（例えば、「ＰＡ６」又は「Ｎｙｌｏｎ６」として知られるポリアミド）が好ましい。
【０１８５】
土台１１２の下には、バランス部材１２２が存在する。ここでも、バランス部材１２２は、好ましくは、強度が高く弾性を有するプラスチック材料で形成される。ここでも、ポリアミド材料（例えば、「ＰＡ６」又は「Ｎｙｌｏｎ６」として知られるポリアミド）が好ましい。
【０１８６】
バランス部材１２２には、バランスのとれた位置（バランス部材１２２のみが地面に接触する位置）を達成する際にバランス部材１２２が提供する難しさの程度を示すインジケータ１２４が記される。例えば、図２１〜図２７に示される実施形態では、円が提供されて、初心者に適した程度の難しさを示す。
【０１８７】
バランス部材１２２の下面１２６は、かなり大きな表面積を有すると共に（例えば、図２３参照）、凸状に湾曲する（例えば、図２６参照）ことが分かる。
【０１８８】
図に示される実施形態では、バランス部材は、ねじ１３１を受ける中央開口部１３２を有する（例えば、図２３を参照すると共に、さらに詳細に後述される図３１〜図３７も参照のこと）。ねじ１３１は、アレンキーを使用して回すことができるような形の頭部を有する。ねじ１３１は、バランス部材１２２を土台１１２に取り付けると共に、所望の場合にバランス部材１２２を土台１１２から取り外すように機能する。したがって、ねじ１３１は、バランス部材１２２の着脱可能な取り付け手段を提供する。
【０１８９】
［本明細書に示されない代替の実施形態では、バランス部材１２２は着脱可能ではなく、土台１１２に一体化される。バランス部材１２２は、例えば、一体成形された構成要素の部分であり得る。この場合、バランス部材１２２は、すでに同じ構造の部分であることを考えると、勿論、ねじ１３１又は土台１１２への他の取り付け手段を必要としない］。対照的に、土台１１２をスキーブーツに着脱可能に取り付けることができる着脱可能な取り付け手段には、本明細書では「アジャスタ」と呼ばれる調整可能なグリップ１４２を使用して締めるか、又は緩めることができるストラップ１１８、１２０が設けられる。したがって、ストラップ１１８、１２０は、トレーニングエイド１１０を使用する場合、スキーブーツにぴったりと合うように締め、又は使用後、トレーニングエイド１１０をスキーブーツから取り外すことができるように緩め、若しくはアジャスタから解放することができる。
【０１９０】
バランス部材１２２を中心とした旋回を使用して、スキーを模倣すると共に、バランスのとれた位置を達成することができる。バランス部材１２２の丸められた下面１２６は、旋回を容易にすると共に、床、例えば、磨かれた木の床が破損する危険性の低減を助けることもできる。
【０１９１】
破損の危険性をさらに低減するために、床プロテクター（例えば、マット）を設けることも可能である。これは、有利に、滑り防止材料で形成することができ、又は滑り防止面を有することができる。
【０１９２】
これより図２７〜図３０を参照すると、上述したように、これらは、図２１〜図２６に示されるが、様々な異なるバランス部材１２２が土台に嵌められたトレーニングエイド１１０を示す。
【０１９３】
図２７は、示されるこれらのトレーニングエイド１１０のうちの最大のバランス部材１２２を備えたトレーニングエイド１１０を示す（先の図２１〜図２６に示されるバランス部材１２２に対応する）。バランス部材１２２は、初心者／入門者レベルを示す円１２４が記されて示される。
【０１９４】
バランスをとる際の異なる難しさの程度を提供する１組のバランス部材１２２の１組のインジケータにより、バランス部材１２２を互いに区別することができる場合、任意の他のインジケータ１２４を使用することも勿論できる。（異なるサイズを視覚的に区別可能な場合には、マークのないバランス部材１２２を使用することも可能である）。
【０１９５】
使用に際して、勿論、バランス部材１２２を組み込んだトレーニングエイド１１０は、右のスキーブーツにストラップで取り付けられ、左のスキーブーツにストラップで取り付けられた対応するバランス部材１２２を組み込んだ対応するトレーニングエイド１１０と併せて使用される。
【０１９６】
最大のバランス部材１２２は、図２７に示されるように、バランスをとる最も低い程度の難しさを提供する。したがって、これは、基本のトレーニングエイド１１０と見なすことができる。それでもこれは、それにも拘わらず、ユーザがスキーを装着した場合のスイートスポットに対応する、本明細書では「概念的なスイートスポット」と呼ばれることもあるスポットに圧力を集中させるように、ユーザが体重の分配をシフトさせることを助けるに当たって非常に有用である。［このスポットは、バランス部材１２２を通る中心垂直軸に沿って存在する。この垂直軸は、バランス部材１２２を土台１１２に取り付けるねじ１３１の軸がある軸に対応する］。
【０１９７】
最大のバランス部材１２２は、臆病なユーザ又は比較的安定性がないか、若しくは怪我をし易い可能性があるユーザにも有用である。最大のバランス部材１２２は、ユーザが、過度に難しくすることなく、バランスをとることに慣れる方法を提供する。
【０１９８】
それにより、ユーザは、より高い特異性で概念的なスイートスポットに集中できるようにする次の難しさレベルに進む準備ができるまで、スキルを向上させることができる。
【０１９９】
ユーザが次の難しさレベルに進む準備ができた場合、ユーザは座り、トレーニングエイド１１０のストラップを外し、図２７に示される「古い」バランス部材１２２をアレンキーを使用して取り外し、次に、同じアレンキーを使用して、図２８に示されるような「新しい」バランス部材１２２をねじ込むことができる。あるいは、別の人（例えば、友人、身内の者、又はインストラクター）がこの動作を実行してもよい。
【０２００】
図２８に示される新しいバランス部材１２２には、四角形１２４が記されて、バランスをとる難しさが中級レベルであることを示すと共に、図２７に示されるバランス部材１２２に使用される円１２４から区別する。
【０２０１】
勿論、同様の手順を他方のスキーブーツに採用し、それにより、両方のスキーブーツが、取り付けられた中級の難しさレベルのバランス部材１２２を組み込んだトレーニングエイド１１０を有することになる。
【０２０２】
図２７に示されるトレーニングエイド１１０の場合と同様に、ユーザは、バランスをとることに有能になるまで、図２８に示されるトレーニングエイド１１０を使用してバランスをとることを練習し、次に次の段階に進むことができ、次の段階では、バランス部材１２２は、図２９に示されるような新しいバランス部材１２２と交換される。
【０２０３】
図２９に示されるバランス部材１２２には、三角形１２４が記されて、バランスをとる難しさが高／上級レベルであることを示すと共に、四角形１２４及び円１２４がそれぞれ記された図２８及び図２７に示されるバランス部材１２２から区別する。
【０２０４】
この手順は、ユーザが、図２９に示されるバランス部材１２２を備えたトレーニングエイド１１０が嵌められたスキーブーツ上でバランスをとることに有能になるまで繰り返される。
【０２０５】
このバランス部材を取り外し、図３０に示されるバランス部材１２２と交換することができ、図３０に示されるバランス部材１２２には、菱形１２４が記されて、バランスをとる難しさがエキスパートレベルであることを示すと共に、図２９、図２８、及び図２７のそれぞれに示される三角形、四角形、及び円１２４から区別する。
【０２０６】
ユーザが、図３０に示されるバランス部材１２２を備えたトレーニングエイド１１０が嵌められたスキーブーツを使用してバランスをとることに有能になると、ユーザは、一対のスキーのスイートスポットに対応するスポット上でバランスをとる極めて高いレベルのスキルを有することになる。実際には、ユーザが入門者／初心者レベルからエキスパートレベルまで段階を通して進むにつれて、ユーザは、スイートスポットに集中するように体重の分配をシフトさせることにますます正確になるはずである。
【０２０７】
図２７〜図３０を参照して説明した上記手順は、勿論、単なる例示である。上記手順は、多くの方法で変更することができる。例えば、より少数又はより多数のバランス部材１２２を使用することにより、より少数又はより多数のトレーニング段階を提供し得る。実際には、ユーザによっては、異なるバランス部材１２２を使用した１つ、２つ、又は３つのみのトレーニング段階で止めて満足なユーザもいる。すべてのユーザがエキスパートレベル又は上級レベルに達することは必須ではなく、又はそうなる可能性は低い。
【０２０８】
勿論、本発明のトレーニングエイド１１０を使用してトレーニングしたユーザが、トレーニング後に任意の段階でスキーに行き、それにより、得られた任意の向上を評価／実行することが可能である。これは、本発明のトレーニングエイド１１０を使用したトレーニングの各段階後、一連の段階後、又は段階の途中であっても行うことができる。
【０２０９】
ユーザが、比較的短い期間であってさえも、ユーザ、本発明のトレーニングエイド１１０を使用した後、スキーする場合に大きな向上を認める可能性が高いことが想像される。これは、ユーザがトレーニングを続けるために有用な誘因であり得る。本発明のトレーニングエイド１１０は、スイートスポットに圧力を集中させることへのユーザの注意も強める。
【０２１０】
トレーニングエイド１１０は、例えば、スキースロープが閉鎖されている場合、又はユーザがスロープから離れている（例えば、ホテル／家にいて、スキー休暇を迎える準備をしている）場合、生産的な時間の使い方を提供することができる。
【０２１１】
トレーニングエイド１１０は、スイートスポットについて考え、圧力をスイートスポットに集中させることを生徒に説得するに当たり、スキーのインストラクターにとっても特に有用であることができる。
【０２１２】
これよりトレーニングエイド１１０の特定の構成要素を参照すると、図３１は、前から片側に見た場合の図３０に示されるトレーニングエイドの分解組立図である。図３１は、トレーニングエイド１１０の製造に使用される選択された構成要素を示す。
【０２１３】
図３１は、概して平坦な底板１１３及び補強部材１１５を備えた土台１１２を示す。ここで、ラベル／カバー１１９は、補強部材１１５に剛性及び強度を提供する内部リブ１２１を露出するために、底板１１３から取り外されて示される。
【０２１４】
底板１１３がねじ切りされたインサート１２３（ここでは、一時的に底板１１３から取り外されて示される）を組み込むことも分かる。ねじ切りされたインサート１２３は、それ自体がバランス部材１２２を土台１１２に取り付けるために使用されるねじ１３１の外ねじを受けるために使用される。バランス部材１２２は、補強部材１１５がぴったりと嵌る中央チャネル１２９を画定する壁１２７を有することが分かる。
【０２１５】
この図は、底板１１３から延びる可撓性サイド１１４、１１６が底板１１３と同じ成形ユニットの部分であることを示すためにも有用である。
【０２１６】
実際には、図３２及び図３３に示されるように、底板１１３、サイド１１４、１１６、及び補強部材１１５はすべて、一体の成形プラスチック材料１５０で形成される。サイド１１４、１１６は、弾性及び耐裂断性を有しながら、比較的薄く可撓性を有する。これにより、使用中の場合、ストラップが取り付けられ、スキーブーツの周りに固定された状態で、サイド１１４、１１６を上方に回転させ、スキーブーツのサイドにぴったりと合うように曲がることができる。
【０２１７】
図３１に示されるように、ストラップ１１８、１２０は、レバーマウント１３６に対して作用するレバー１３４の動作により、所定位置に固定される。したがって、レバー１３４が下に押される場合、ストラップ１１８は所定位置に固定される。レバー１３４を上に引っ張り、ストラップ１１８を解放することができる（例えば、ストラップが摩耗し、交換が必要な場合）。レバーマウント１３６は、土台１１２のサイド１１４の開口部を通るリベット１３８により所定位置に留められる。
【０２１８】
ストラップ１１８、１２０は、使用中の場合、スキーブーツの踵エリア又は前足エリアの周りを通り、アジャスタマウント１４０内に受け取られるアジャスタ１４２により所定位置に着脱可能に保持される。アジャスタマウント１４０は、ここでも、側壁の開口部を通るリベット１３８により所定位置に固定される。アジャスタ１４２は、ストラップ１１８を締めるか、又は緩める際の調整を容易にするために、バネ仕掛けであり得る（バネは示されない）。
【０２１９】
これより図３４〜図３７を参照すると、これらの図は、土台１１２から取り外され、前から片側に見た場合の図２７〜図３０のそれぞれに示されるバランス部材１２２を示す。
【０２２０】
図３４〜図３６に示されるバランス部材１２２が概して中空であるが、外壁１２７に加えて、複数の内部補強リブ１３０を備えることが分かる。複数の内部補強リブ１３０は、バランス部材１２２を補強するように機能する。図３３〜図３６に示されるバランス部材１２２とは対照的に、図３７に示されるバランス部材１２２は、いかなる内部リブ１３０も有さず、これを補うために、より厚い側壁１２７を有する。図３４〜図３７に示されるすべてのバランス部材１２２は、図３３に示される補強部材１１５上に嵌るような形である。したがって、リブ１３０及び壁１２７は、補強部材１１５を受けるチャネル１２９を画定することが意図される。
【０２２１】
勿論、多くの代替が可能である。例えば、バランス部材１２２は中空ではなく中実であってもよい。あるいは、バランス部材１２２は中空であるが、リブ１３０又は他の内部補強の必要性を回避するために、強度の高い材料で形成し得る。当業者に周知のように、多くの可能性がここにあり得る。
【０２２２】
図３８は、それ自体がストラップ１１８、１２０を介してスキーブーツに着脱可能に取り付けられるトレーニングエイド１１０の土台１１２に取り付けられた場合の位置にある１つのバランス部材１２２を示す。
【０２２３】
例１４
本発明の第１４のトレーニングエイド
その他の例とは異なり、この例（図示せず）は、トレーニングエイドをスキーブーツ（若しくは他の足装着品）に永久的に取り付け得るか、又はさらにはスキーブーツと一体であり得る状況を取り扱う。したがって、例えば、トレーニングエイドは、所定の場所に成形するか、又は永久的な接着剤、リベット等により固定することができる。ここでは、ブーツはスキーに使用されることを意図されず、純粋にトレーニングのためのものである。
【０２２４】
一例は、スキーヤーが古いスキーブーツ対及び新しいスキーブーツ対を有し、古い対を捨てようと考えているか、又は古い対をスキーに使用すると決して意図しない場合である。古い対は、本発明のトレーニングエイドを各ブーツに永久的に取り付けることにより変換することができる。
【０２２５】
さらなる例は、スキーブーツを模倣するが、はるかに安価であり得るブーツが作られ（例えば、耐久性が低い／特徴の数が少ない等）、単純に本発明によるトレーニング用に設計し得る−すなわち、上述したように旋回し、バランスをとることが可能な場合である。
【０２２６】
ここで、ブーツはそれぞれ、例えば、概して平坦であるが、地面に向かって下方に突出する、ブーツの通常の装着者の土踏まずの下に位置決めされた一体／固定部分を含む靴底を有し得る。ブーツの装着者は、スキーに望ましいバランスのとれた位置を模倣するために、このブーツ対上でバランスをとろうとすることができる。
【０２２７】
そのようなトレーニングブーツは、初心者に正しいバランスのとれた位置を教える際にスキー学校にとって有用であり得る。トレーニングブーツは、最初にスキーに対して非常に臆病になり得る人々又はトレーニングブーツがなければ、スキー上でのバランスのとり方を学ぶまでに長い時間がかかり得る人々にとって特に有用であり得る。トレーニングにブーツ以外の足装着物を利用することさえも可能であるが、ブーツが好ましい（特に、スキーブーツと同じ全体サイズ、形状、及び／又は剛性のブーツ）。
【０２２８】
用語解説
これより、本明細書において使用される特定の用語をさらに詳細に以下において説明する。
【０２２９】
「スイートスポット」
用語「スイートスポット」は、スキーの当業者には周知である。これは通常、一般にスキーヤーが殆どの圧力を（均等なサイズのスキーの他の部分と相対して）かけることが望ましいスキーの部分を指すために使用される。
【０２３０】
近代のスキーは概して湾曲し、スキーの比較的広い部分が、スキーの前部及び後部に向かって配置され、スキーの主体の最も狭い部分が、それらの間に配置される。スイートスポットは通常、通常、スキーの主体の上記最も狭い部分にある、スキーの延在面の中間点に対応する。
【０２３１】
スイートスポットは、オンライン公開物を含め、多くのスキー指導マニュアルにおいて考察されている。例えば、British Alpine Ski School（ＢＡＳＳ）のウェブサイトで入手可能なHugh Monnetによる「Ski Performance Breakthrough」という名称のオンライン公開物を参照することができ、そこでは、スイートスポットは第２章で考察されている。
【０２３２】
多くの近代のスキーブーツが、スキーの上記スイートスポットを通る垂直面に位置合わせするために位置決めされた、ミッドソールインジケータとして知られていることが多い１つ又は複数の中央インジケータをすでに含むことにも留意されたい。
【０２３３】
通常、そのようなインジケータは、スキーブーツの片側又は両側に配置され、スキーブーツをスキーに取り付ける間、見ることができる。追加／代替として、スキーブーツの靴底の下面にインジケータを設けることが可能である。これは、スイートスポットエリア又はスイートスポットエリアの中心を示し得る。
【０２３４】
スキービンディングは通常、ブーツのミッドソールマークを通るに沿ってスイートスポットを通る垂直面が、スキーの延在面の中間点の真上に位置決めされるように、スキー上にしっかりと位置決めされる。
【０２３５】
したがって、スイートスポットは通常、勿論、スキーブーツが装着者にとって正しいサイズであり、足の形状が一般に正常であると仮定して、スキーに正しく取り付けられたスキーブーツを装着したスキーヤーの土踏まず／中央点の下にあるスキーの部分に配置されると考えることができる。
【０２３６】
勿論、各スキーがスイートスポットを有し、スキーヤーが、異なる操作、スロープ等で各スキーにかけられる圧力をシフトし得ることを理解されたい。したがって、特定の操作及び／又はスキースロープに応じて、片方のスキーのスイートスポットにかかる圧力を小さくし、他方のスキーのスイートスポットにかかる圧力を大きくすることが望ましいことがある。
【０２３７】
それにも拘わらず、殆どの状況において、各スキーにかけられる圧力の大半が、足の踵の下（初心者よく見られる誤り）又は足の親指の付け根の下（中級スキーヤーに非常によく見られる誤り）ではなく、スイートスポットに集中されることが望ましい。
【０２３８】
勿論、少数の例外がある（例えば、スキーヤーがスキージャンプで空中にいる場合又はスキーヤーが、例えば、障害物の回避に役立つように、一方のスキーを意図的に上げ得る場合）。しかし、これらは非常にわずかであり、それらの場合であってもやはり、一般に、例外的な操作の実行が終わるとすぐに、圧力がスキーの「スイートスポット」に集中する姿勢を取り戻すことが望ましい。
【０２３９】
スキーが異なる操作、スロープ等の場合に異なって傾斜し得ることを考えると、スイートスポットが、スキーの幅にわたって延在し得、必ずしも単一の中央点に限定される必要がないと考え得ることにも留意されたい。実際には、用語「スイートスポット」は、多くの場合、一般に、操作を助けるために、所与のスキーにかけられる圧力を集中させることが望ましい小さな局所的なエリアを表すと見なされ得る。したがって、スイートスポットを単一点として見なすことは必須ではない。このエリアは、好ましくは、１００ｃｍ２未満又は７５ｃｍ２未満である。より好ましくは、このエリアは、５０ｃｍ２未満又は２５ｃｍ２未満である。このエリアは、２０ｃｍ２未満、１０ｃｍ２未満、５ｃｍ２未満、又は２ｃｍ２未満であり得る。したがって、スイートスポットは非常に小さなエリアであり得る。
【０２４０】
スキーヤーによっては、スイートスポットを小さな円形エリアとして見なす人もいる。この円は、例えば、５ｃｍ未満、４ｃｍ未満、３ｃｍ未満、２ｃｍ未満、又は１ｃｍ未満の半径を有し得る。あるいは、スイートスポットは、そのようなエリアの中心点であると見なし得る。
【０２４１】
いずれの場合でも、先に示されるように、スイートスポットは通常、スキーブーツが正しいサイズであり、スキーに適宜嵌められると仮定して、スキーヤーの土踏まずの下にあると考えられる。
【０２４２】
「スキーブーツ」
この用語は、スキーに使用されるあらゆる足装着物を包含するために使用される。したがって、スキーブーツは、ブーツ、靴等を含む。好ましい足装着物は、スキービンディングに取り付けられるように適合される。
【０２４３】
「キット」
これは、一緒に提供（例えば、販売）される複数の物品を意味する。好ましくは、物品は、封止されてもよく、又は封止されなくてもよい単一のパッケージ内で提供される。
【０２４４】
キットは、任意選択的に、使用又は組み立てるための説明書を含み得る。
【図１】
2013506513.tif 000003
【図２】
2013506513.tif 000004
【図３】
2013506513.tif 000005
【図４】
2013506513.tif 000006
【図５】
2013506513.tif 000007
【図６】
2013506513.tif 000008
【図７】
2013506513.tif 000009
【図８】
2013506513.tif 000010
【図９】
2013506513.tif 000011
【図１０】
2013506513.tif 000012
【図１１】
2013506513.tif 000013
【図１２】
2013506513.tif 000014
【図１３】
2013506513.tif 000015
【図１４】
2013506513.tif 000016
【図１５】
2013506513.tif 000017
【図１６】
2013506513.tif 000018
【図１７】
2013506513.tif 000019
【図１８】
2013506513.tif 000020
【図１９】
2013506513.tif 000021
【図２０】
2013506513.tif 000022
【図２１】
2013506513.tif 000023
【図２２】
2013506513.tif 000024
【図２３】
2013506513.tif 000025
【図２４】
2013506513.tif 000026
【図２５】
2013506513.tif 000027
【図２６】
2013506513.tif 000028
【図２７】
2013506513.tif 000029
【図２８】
2013506513.tif 000030
【図２９】
2013506513.tif 000031
【図３０】
2013506513.tif 000032
【図３１】
2013506513.tif 000033
【図３２】
2013506513.tif 000034
【図３３】
2013506513.tif 000035
【図３４】
2013506513.tif 000036
【図３５】
2013506513.tif 000037
【図３６】
2013506513.tif 000038
【図３７】
2013506513.tif 000039
【図３８】
2013506513.tif 000040
【国際調査報告】
2013506513.tif 000041
2013506513.tif 000042
2013506513.tif 000043